(57)【要約】【課題】情報処理装置側の操作により、画像形成装置において、ユーザーが所望する色の記録媒体に対してユーザーが所望の色やエフェクトに変更して文字の印刷処理を可能にする。【解決手段】プリンタードライバー部１３は、操作受付部が記録紙の色の指定を受け付けた場合に、指定された記録紙の色を示す色情報に対応付けられた画像形成装置の給紙カセットの位置情報をＨＤＤ２４から取得して、取得した記録紙を印刷処理に用いることを指示する第１コマンドを印刷条件の一部として含める。また、プリンタードライバー部１３は、上記操作受付部が文字の色の指定と、エフェクト及び当該エフェクトに使用される色の指定を受け付けた場合に、指定された文字の色と指定されたエフェクト及び当該エフェクトに使用される色とを印刷処理に用いることを指示する第２コマンドを印刷条件の一部として含める。【選択図】図２
2018156524.tif 000002
【特許請求の範囲】
【請求項１】
表示部と、
ユーザーからの操作指示を受け付ける操作受付部と、
ネットワークを通じて、画像形成装置との間でデータ通信を行う通信部と、
前記画像形成装置での印刷処理に用いられる記録媒体を収容した当該画像形成装置の給紙カセットの位置情報と給紙カセットに収容されている記録媒体の色を示す色情報とを対応付けて予め記憶した記憶部と、
前記操作受付部が受け付けた前記印刷処理の対象となるドキュメントデータを、前記操作受付部が受け付けた前記印刷条件に従って作成した印刷対象データを含んだ印刷ジョブを作成するプリンタードライバー部と、
前記プリンタードライバー部が作成した印刷ジョブを、前記通信部から前記ネットワークを通じて前記画像形成装置に向けて送信させる通信制御部と、を備え、
前記プリンタードライバー部は、前記操作受付部が前記印刷条件を受け付ける場合に、前記記録媒体の色の指定を促す表示と、
前記操作受付部が前記記録媒体の色の指定を受け付けた場合に、指定された前記記録媒体の色を示す色情報に対応付けられた前記給紙カセットの位置情報を前記記憶部から取得して、取得した前記記録媒体を前記印刷処理に用いることを指示する第１コマンドを前記印刷条件の一部として含めるとともに、色の指定が行われた前記記録媒体に対し前記印刷処理される前記ドキュメントデータに含まれた文字の色の指定と、当該文字に対する予め定められたエフェクト及び当該エフェクトに使用される色の指定との少なくとも一方を促す表示と、を前記表示部に行わせ、
さらに、前記プリンタードライバー部は、前記操作受付部が前記文字の色の指定と、前記エフェクト及び当該エフェクトに使用される色の指定との少なくとも一方を受け付けた場合に、指定された前記文字の色と指定された前記エフェクト及び当該エフェクトに使用される色とを前記印刷処理に用いることを指示する第２コマンドを前記印刷条件の一部として含める、情報処理装置。
【請求項２】
前記プリンタードライバー部は、前記操作受付部が前記文字の色の指定と、前記エフェクト及び当該エフェクトに使用される色の指定との少なくとも一方を受け付けた場合に、前記色の指定が行われた前記記録媒体での当該指定された色で表示した当該記録媒体の画像上において、見本の文字の画像を表示させるとともに、当該見本の文字の画像に対して前記指定された文字の色と前記指定されたエフェクト及び当該エフェクトに使用される色とを適用した画像のプレビュー表示を前記表示部に行わせる請求項１に記載の情報処理装置。
【請求項３】
前記記憶部には、前記記録媒体の色と、前記文字の色及び前記エフェクトに使用される色との予め禁止と定められた組合せの関係を示した禁則テーブルが予め記憶され、
前記プリンタードライバー部は、前記操作受付部が前記記録媒体の色の指定と、前記文字の色の指定及び前記エフェクトに使用される色の指定の少なくとも一方を受け付けた場合に、前記禁則テーブルを参照して、指定された前記記録媒体の色と、指定された前記文字の色又は指定された前記エフェクトに使用される色とが当該禁則テーブルに示されていることを判別したときは、前記指定された記録媒体の色、及び前記指定された文字の色と前記指定されたエフェクトに使用される色を拒否する旨の表示を前記表示部に行わせる請求項１又は請求項２に記載の情報処理装置。
【請求項４】
前記操作受付部は、前記文字の色の指定及び前記エフェクトに使用される色の指定として、予め定められた単色の色の指定又は予め定められたグラデーションの色の指定を受け付ける請求項１乃至請求項３のいずれかに記載の情報処理装置。
【請求項５】
前記記憶部には、指定された文字の色と、当該指定された文字の色に対応付けられたエフェクト及び当該エフェクトに使用される色との組合せの関係を示した適用テーブルが予め記憶され、
前記プリンタードライバー部は、前記操作受付部が前記記録媒体の色の指定を受け付けた場合に、前記エフェクト及び当該エフェクトに使用される色の指定を促す表示を前記表示部に行わせずに、前記文字の色の指定を促す表示のみを前記表示部に行わせ、
前記プリンタードライバー部は、前記操作受付部が前記文字の色の指定を受け付けた場合に、前記適用テーブルを参照して、指定された前記文字の色に対応付けられた前記エフェクト及び当該エフェクトに使用される色を取得して、前記指定された文字に適用することを指示するコマンドを前記第２コマンドとして前記印刷条件の一部として含める請求項１乃至請求項４のいずれかに記載の情報処理装置。
【請求項６】
前記操作受付部は、前記エフェクトの指定として、当該エフェクトの対象となる前記文字に対して影を付けること又は輪郭を付けることの少なくとも一方を受け付ける請求項１乃至請求項５のいずれかに記載の情報処理装置。
【請求項７】
前記プリンタードライバー部は、前記色の指定が行われた前記記録媒体に対し前記印刷処理される前記ドキュメントデータにおいて、前記指定の対象となる文字の範囲指定を促す表示を表示部に行わせ、
前記操作受付部が前記指定の対象となる文字の範囲指定を受け付けた場合に、指定された前記文字の範囲について、前記文字の色の指定と、前記予め定められたエフェクト及び当該エフェクトに使用される色の指定との少なくとも一方を促す表示を前記表示部に行わせる請求項１乃至請求項６のいずれかに記載の情報処理装置。
【請求項８】
情報処理装置と、ネットワークを介して前記情報処理装置に接続された画像形成装置とを備えた画像形成システムであって、
前記情報処理装置には、請求項１乃至請求項７のいずれかに記載の情報処理装置が用いられ、
前記画像形成装置は、
前記記録媒体を収容した複数の前記給紙カセットと、
前記記録媒体に対して印刷処理を行う印刷部と、
前記情報処理装置から前記印刷ジョブを受信する受信部と、
前記受信部が受信した前記印刷ジョブに基づく印刷処理を前記印刷部に行わせる制御部と、を備える画像形成システム。
【発明の詳細な説明】
【技術分野】
【０００１】
本発明は、ネットワークを通じて画像形成装置に接続される情報処理装置、及びこれを用いた画像形成システムに関し、特に情報処理装置側の操作により記録媒体の色及び当該記録媒体上での文字の色やエフェクト等を指定して画像形成装置に印刷処理を行わせる技術に関する。
【背景技術】
【０００２】
画像形成システムでは、ネットワーク上の画像形成装置に対して、パーソナルコンピューターなどの情報処理装置が指示を出すことにより、当該画像形成装置において印刷処理を実行する技術が提案されている。また、画像形成装置では、例えば下記特許文献１に示されるように、複数の色からなる彩色紙（記録媒体）をスキャナーで読み込んで、読み込んだデータを背景色データとして保存するとともに、この背景色データに基づき当該彩色紙上の文字の色を調整して印刷する技術が提案されている。
【０００３】
また、例えば、下記特許文献２に示されるように、画像形成装置では、用紙センサーで検出した用紙（記録媒体）の色と画像データのプリント色とが類似しているか否かを判断して、類似していると判断した場合は、用紙の変更を行うか、プリント色の変更処理を行うかの制御をする技術が提案されている。また、この画像形成装置では、画像データの属性が文字であるか写真であるかを判定し、文字と判定した場合には、用紙の色と明確に区別でき読み易いように彩度又は色相を変更し、写真と判定した場合には、写真の持つ雰囲気を崩さないように明度のみを変更する技術も提案されている。
【先行技術文献】
【特許文献】
【０００４】
【特許文献１】特開平１０−１７３９４９号公報
【特許文献２】特開２００１−２９３９０７号公報
【発明の概要】
【発明が解決しようとする課題】
【０００５】
しかしながら、上記特許文献１及び２に示される技術では、情報処理装置側の操作により、画像形成装置において、ユーザーが所望する色の記録媒体に対してユーザーが所望の色や所望のエフェクト（影付けや輪郭付け）で文字の印刷処理を行うことはできない。つまり、上記特許文献１及び２のいずれにおいても、そのように情報処理装置側の操作により、ユーザーが所望する色の記録媒体上に、ユーザーが所望の色やエフェクトに変更して文字の印刷処理を画像形成装置に行わせる技術の記載がない。
【０００６】
本発明は、上記の事情に鑑みなされたものであり、情報処理装置側の操作により、画像形成装置において、ユーザーが所望する色の記録媒体に対してユーザーが所望の色やエフェクトに変更して文字の印刷処理を可能にすることを目的とする。
【課題を解決するための手段】
【０００７】
本発明の一局面に係る情報処理装置は、表示部と、ユーザーからの操作指示を受け付ける操作受付部と、ネットワークを通じて、画像形成装置との間でデータ通信を行う通信部と、前記画像形成装置での印刷処理に用いられる記録媒体を収容した当該画像形成装置の給紙カセットの位置情報と給紙カセットに収容されている記録媒体の色を示す色情報とを対応付けて予め記憶した記憶部と、前記操作受付部が受け付けた前記印刷処理の対象となるドキュメントデータを、前記操作受付部が受け付けた前記印刷条件に従って作成した印刷対象データを含んだ印刷ジョブを作成するプリンタードライバー部と、前記プリンタードライバー部が作成した印刷ジョブを、前記通信部から前記ネットワークを通じて前記画像形成装置に向けて送信させる通信制御部と、を備え、前記プリンタードライバー部は、前記操作受付部が前記印刷条件を受け付ける場合に、前記記録媒体の色の指定を促す表示と、前記操作受付部が前記記録媒体の色の指定を受け付けた場合に、指定された前記記録媒体の色を示す色情報に対応付けられた前記給紙カセットの位置情報を前記記憶部から取得して、取得した前記記録媒体を前記印刷処理に用いることを指示する第１コマンドを前記印刷条件の一部として含めるとともに、色の指定が行われた前記記録媒体に対し前記印刷処理される前記ドキュメントデータに含まれた文字の色の指定と、当該文字に対する予め定められたエフェクト及び当該エフェクトに使用される色の指定との少なくとも一方を促す表示と、を前記表示部に行わせ、さらに、前記プリンタードライバー部は、前記操作受付部が前記文字の色の指定と、前記エフェクト及び当該エフェクトに使用される色の指定との少なくとも一方を受け付けた場合に、指定された前記文字の色と指定された前記エフェクト及び当該エフェクトに使用される色とを前記印刷処理に用いることを指示する第２コマンドを前記印刷条件の一部として含めるものである。
【０００８】
また、本発明の他の一局面に係る画像形成システムは、情報処理装置と、ネットワークを介して前記情報処理装置に接続された画像形成装置とを備えた画像形成システムであって、前記情報処理装置には、上記情報処理装置が用いられ、前記画像形成装置は、前記記録媒体を収容した複数の前記給紙カセットと、前記記録媒体に対して印刷処理を行う印刷部と、前記情報処理装置から前記印刷ジョブを受信する受信部と、前記受信部が受信した前記印刷ジョブに基づく印刷処理を前記印刷部に行わせる制御部と、を備えるものである。
【発明の効果】
【０００９】
本発明によれば、情報処理装置側の操作により、画像形成装置において、ユーザーが所望する色の記録媒体に対してユーザーが所望の色やエフェクトに変更して文字の印刷処理を可能にすることができる。
【図面の簡単な説明】
【００１０】
【図１】本発明の一実施形態に係る画像形成システムの全体を示す図である。
【図２】情報処理装置の要部構成を示す機能ブロック図である。
【図３】画像形成装置の要部構成を示す機能ブロック図である。
【図４】情報処理装置での処理の流れを示すフローチャートである。
【図５】図４に示した（１）からの処理を示すフローチャートである。
【図６】図４に示した（２）からの処理及び図５に示した（３）からの処理を示すフローチャートである。
【図７】情報処理装置の表示部に表示される表示画面の一例を示した図である。
【図８】情報処理装置の表示部に表示される表示画面の一例を示した図である。
【図９】情報処理装置の表示部に表示される表示画面の一例を示した図である。
【図１０】情報処理装置の表示部に表示される表示画面の一例を示した図である。
【図１１】情報処理装置の表示部に表示される表示画面の一例を示した図である。
【図１２】情報処理装置の表示部に表示される表示画面の一例を示した図である。
【図１３】情報処理装置のＨＤＤに記憶されている禁則テーブルの一例を示した図である。
【図１４】（Ａ）及び（Ｂ）は情報処理装置の表示部に表示される表示画面の一例を示した図である。
【図１５】（Ａ）及び（Ｂ）は情報処理装置の表示部に表示される表示画面の一例を示した図である。
【図１６】（Ａ）及び（Ｂ）は情報処理装置の表示部に表示される表示画面の一例を示した図である。
【図１７】（Ａ）及び（Ｂ）は情報処理装置の表示部に表示される表示画面の一例を示した図である。
【図１８】（Ａ）及び（Ｂ）は情報処理装置の表示部に表示される表示画面の一例を示した図である。
【図１９】は情報処理装置の表示部に表示される表示画面の一例を示した図である。
【図２０】情報処理装置の表示部に表示される表示画面の一例を示した図である。
【図２１】情報処理装置の表示部に表示される表示画面の一例を示した図である。
【図２２】画像形成装置での処理の流れを示すフローチャートである。
【図２３】第２実施形態に係る情報処理装置の要部構成を示す機能ブロック図である。
【図２４】第２実施形態に係る情報処理装置のＨＤＤに記憶されている適用テーブルの一例を示した図である。
【図２５】第２実施形態に係る情報処理装置での処理の流れを示すフローチャートである。
【図２６】情報処理装置の表示部に表示される表示画面の一例を示した図である。
【発明を実施するための形態】
【００１１】
以下、本発明の一実施形態にかかる画像形成システムについて図面を参照して説明する。図１は、本発明の一実施形態に係る画像形成システムの全体を示す図である。
【００１２】
図１に示す画像形成システム１００は、情報処理装置１と、画像形成装置２とを備える。また、画像形成システム１００では、情報処理装置１と画像形成装置２とは、例えばイントラネットやインターネット等のネットワークＮを通じて、印刷ジョブやメッセージ等のデータを送受信する。
【００１３】
ここで、図２を参照して、上記情報処理装置１について具体的に説明する。図２は、情報処理装置の要部構成を示す機能ブロック図である。
【００１４】
情報処理装置１は、例えばスマートフォンやタブレットＰＣなどの携帯情報端末やパーソナルコンピューター等である。情報処理装置１は、制御ユニット１０と、操作部２０と、表示部２１と、タッチパネル２２と、通信部２３と、ＨＤＤ２４とを有する。これら各部は、互いにＣＰＵバスによりデータ又は信号の送受信が可能とされている。制御ユニット１０は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、ＡＳＩＣである。この制御ユニット１０は、上記ＨＤＤ２４等に記憶された印刷要求プログラムが上記のプロセッサーで実行されることにより、制御部１１、及び通信制御部１２として機能する。なお、制御ユニット１０の制御部１１、及び通信制御部１２は、上記印刷要求プログラムに基づく動作によらず、それぞれハード回路により構成されてもよい。以下、特に触れない限り、各実施形態について同様である。また、上記プロセッサーが、ＨＤＤ２４に記憶されたプリンタードライバーＰＤを実行することにより、プリンタードライバー部１３として機能する。
【００１５】
制御部１１は、情報処理装置１の全体的な動作制御を司る。
【００１６】
通信制御部１２は、通信部２３による通信動作を制御する機能を有する。また、通信制御部１２は、プリンタードライバー部１３が作成した印刷ジョブを、通信部２３からネットワークＮを通じて画像形成装置２に向けて送信させる。
【００１７】
また、制御部１１は、操作部２０やタッチパネル２２に対するユーザーからの操作に応じて、ＨＤＤ２４に記憶されているドキュメントデータや、情報処理装置１の外部、例えば通信部２３にネットワークＮを通じて接続された図略のサーバー等からドキュメントデータを読み出す。
【００１８】
ドキュメントデータは、例えば情報処理装置１で実行されるワードプロセッサーや表計算ソフト、図面ソフト等のアプリケーションで作成されたファイル等である。但し、このドキュメントデータは、画像形成装置２及びその印刷に適したフォーマットとされておらず、当該画像形成装置２での印刷処理に直接的に用いることはできないデータである。
【００１９】
プリンタードライバー部１３は、後述の操作受付部が受け付けたユーザーの操作指示に従って、ユーザーによって指定されたドキュメントデータを、画像形成装置２に適したプリンター言語からなるデータに変換し、変換したプリンター言語からなるデータを用いて、ユーザーによって指定された印刷条件に従って作成した印刷対象データを含んだ印刷ジョブ（例えば、ＰＲＮファイル）を作成する。
【００２０】
また、プリンタードライバー部１３は、上記操作受付部が印刷条件を受け付ける場合に、記録紙（記録媒体）の色の指定を促す表示を表示部２１に行わせる。また、プリンタードライバー部１３は、上記操作受付部が記録紙の色の指定を受け付けた場合に、指定された記録紙の色を示す色情報に対応付けられた画像形成装置２の後述の給紙カセットの位置情報をＨＤＤ２４から取得して、取得した給紙カセットの位置情報により示される当該給紙カセットに収容されている記録紙を印刷処理に用いることを指示する第１コマンドを印刷条件の一部として含める。
【００２１】
また、プリンタードライバー部１３は、色の指定が行われた記録紙に対し、印刷処理されるドキュメントデータに含まれた文字の色の指定と、色の指定が行われた当該記録紙に対し、印刷処理される当該ドキュメントデータに含まれた文字に対する予め定められたエフェクト及び当該エフェクトに使用される色の指定との少なくとも一方を促す表示を表示部２１に行わせる。また、プリンタードライバー部１３は、上記操作受付部が文字の色の指定と、エフェクト及び当該エフェクトに使用される色の指定との少なくとも一方を受け付けた場合に、指定された文字の色と指定されたエフェクト及び当該エフェクトに使用される色とを印刷処理に用いることを指示する第２コマンドを印刷条件の一部として含める。例えば、プリンタードライバー部１３は、上記操作受付部が文字の色の指定を受け付けた場合、ドキュメントデータで指定されている文字の色を、指定された文字の色に変更した後、上記プリンター言語からなるデータに変換することにより、上記第２コマンドを印刷条件の一部として含めている。尚、上記操作受付部は、文字の色の指定及びエフェクトに使用される色の指定として、予め定められた単色の色の指定又は予め定められたグラデーションの色の指定を受け付ける。また、上記操作受付部は、エフェクトの指定として、当該エフェクトの対象となる文字に対して影（Shadow）を付けること又は当該エフェクトの対象となる文字に対して輪郭（Outline）を付けることの少なくとも一方を受け付ける。
【００２２】
また、プリンタードライバー部１３は、文字の色の指定と、予め定められたエフェクト及び当該エフェクトに使用される色の指定との少なくとも一方を促す表示を表示部２１に行わせる前に、色の指定が行われた記録紙に対し印刷処理されるドキュメントデータにおいて、上記指定の対象となる文字の範囲指定を促す表示を表示部２１に行わせる。
【００２３】
また、プリンタードライバー部１３は、操作受付部が文字の色の指定と、エフェクト及び当該エフェクトに使用される色の指定との少なくとも一方を受け付けた場合に、色の指定が行われた記録紙での当該指定された色で表示した当該記録紙の画像上において、見本の文字の画像を表示させるとともに、当該見本の文字の画像に対して指定された文字の色と指定されたエフェクト及び当該エフェクトに使用される色とを適用した画像のプレビュー表示を表示部２１に行わせる。
【００２４】
また、プリンタードライバー部１３は、操作受付部が記録紙の色の指定と、文字の色の指定及びエフェクトに使用される色の指定の少なくとも一方を受け付けた場合に、ＨＤＤ２４に記憶されている禁則テーブルを参照して、指定された記録紙の色と、指定された文字の色又は指定されたエフェクトに使用される色とが当該禁則テーブルに示されていることを判別したときは、指定された記録紙の色、及び指定された文字の色と指定されたエフェクトに使用される色を拒否する旨の表示を表示部２１に行わせる。
【００２５】
操作部２０は、ハードキーを備えたキーボード、マウス、ポインティングデバイス等を有し、この操作部２０には、ユーザーにより、印刷対象となるドキュメントデータや印刷条件を指定する指示等が入力される。
【００２６】
表示部２１は、液晶ディスプレイや有機ＥＬディスプレイ等から構成される。表示部２１は、制御部１１による制御のもと、画像形成装置２での印刷処理の印刷条件等の指示入力画面等を表示する。
【００２７】
表示部２１の前面には、タッチパネル２２が配置されている。タッチパネル２２は、所謂抵抗膜方式や静電容量方式等のタッチパネルであって、タッチパネル２２上におけるユーザーによる接触（タッチ）をその接触位置とともに検知する。タッチパネル２２は、ユーザーによる接触を検知すると、その接触点の座標位置を示す検知信号を制御部１１などに出力する。なお、操作部２０とタッチパネル２２とは、特許請求の範囲における操作受付部の一例である。
【００２８】
通信部２３は、ＬＡＮボード等の通信モジュールを有しており、通信制御部１２等の制御のもと、当該通信部２３に接続されたネットワークＮを通じて、画像形成装置２等との間で種々のデータを送受信する。
【００２９】
ＨＤＤ（ハードディスクドライブ）２４は、上記アプリケーション及びこのアプリケーションで作成されたドキュメントデータ等を記憶する大容量の記憶装置である。また、ＨＤＤ２４には、プリンタードライバーＰＤが予め記憶されている。また、ＨＤＤ２４には、画像形成装置２の後述の給紙カセットの位置情報と当該給紙カセットに収容されている記録紙の色を示す色情報とが対応付けられて予め記憶されている。更に、ＨＤＤ２４には、記録紙の色と、文字の色及びエフェクトに使用される色との予め禁止と定められた組合せの関係を示した禁則テーブルＴ１が予め記憶されている。なお、ＨＤＤ２４は、特許請求の範囲における記憶部の一例である。
【００３０】
次に、図３を参照して、本実施形態の画像形成装置３について具体的に説明する。図３は、画像形成装置の要部構成を示す機能ブロック図である。
【００３１】
図３に示すように、画像形成装置２は、例えば、コピー機能、プリンター機能、スキャナー機能、及びファクシミリ機能のような複数の機能を兼ね備えた複合機である。画像形成装置２は、制御ユニット３０を備える。制御ユニット３０は、ＣＰＵ、ＲＡＭ、ＲＯＭ及び専用のハードウェア回路等から構成され、画像形成装置２の全体的な動作制御を司る。
【００３２】
また、画像形成装置２は、原稿読取部４０、原稿給送部４１、印刷部４２、画像メモリー４３、画像処理部４４、表示部５０、タッチパネル５１、操作部５２、送受信部５３、記憶部５４、及び複数、例えば４個の給紙カセット９ａ、９ｂ、９ｃ、９ｄを備えて構成されている。
【００３３】
画像形成装置２が原稿読取動作を行う場合、原稿給送部４１により給送されてくる原稿の画像等を原稿読取部４０が光学的に読み取り、画像データを生成する。
【００３４】
画像形成装置２が画像形成動作（すなわち、印刷動作）を行う場合は、上記原稿読取動作により生成された画像データ、情報処理装置１からの印刷ジョブ等に基づいて、制御ユニット３０の後述の制御部が、給紙カセット９ａ〜９ｄ等から給紙される記録媒体としての記録紙に対する印刷処理を印刷部４２に実行させて、当該記録紙上に画像を形成する。
【００３５】
原稿読取部４０は、制御ユニット３０による制御の下、光照射部及びＣＣＤセンサー等を有する読取機構を備える（図示せず）。原稿読取部４０は、光照射部により原稿を照射し、その反射光をＣＣＤセンサーで受光することにより、原稿から画像を読み取り、画像データを生成する。
【００３６】
画像メモリー４３は、原稿読取部４０による読取で得られた原稿画像の画像データを一時的に記憶したり、印刷部４２のプリント対象となる印刷処理用のデータを一時的に保存したりする領域である。
【００３７】
画像処理部４４は、画像メモリー４３から原稿読取部４０で読み取られた画像を読み出して画像処理する。例えば、画像処理部４４は、原稿読取部４０により読み取られた画像が印刷部４２により画像形成された後の品質を向上させるために、シェーディング補正等の予め定められた画像処理を行う。
【００３８】
印刷部４２は、原稿読取部４０で読み取られた画像データや情報処理装置１からの印刷ジョブ等の画像形成を行う。具体的には、印刷部４２が例えばカラー印刷を行う場合、印刷部４２のマゼンタ用の画像形成ユニット、シアン用の画像形成ユニット、イエロー用の画像形成ユニット、及びブラック用の画像形成ユニットは、それぞれに、上記印刷用データを構成するそれぞれの色成分からなる画像に基づいて、帯電、露光、及び現像の工程により感光体ドラム上にトナー像を形成し、当該トナー像を一次転写ローラーにより中間転写ベルト上に転写させる（図示せず）。
【００３９】
上記の中間転写ベルト上に転写される上記各色のトナー画像は、転写タイミングを調整して中間転写ベルト上で重ね合わされ、カラーのトナー像となる。２次転写ローラーは、中間転写ベルトの表面に形成された当該カラーのトナー像を、中間転写ベルトを挟んで駆動ローラーとのニップ部において、上記の給紙部から搬送路を搬送されてきた記録紙に転写させる（図示せず）。この後、定着部が、記録紙上のトナー像を、熱圧着により記録紙に定着させる（図示せず）。定着処理の完了したカラー画像形成済みの記録紙は、図略の排出トレイに排出される。
【００４０】
表示部５０は、液晶ディスプレイや有機ＥＬディスプレイ等から構成される。
【００４１】
表示部５０の前面には、タッチパネル５１が配置されている。タッチパネル５１は、所謂抵抗膜方式や静電容量方式等のタッチパネルであって、タッチパネ５１上におけるユーザーによる接触（タッチ）をその接触位置とともに検知する。タッチパネル５１は、ユーザーによる接触を検知すると、その接触点の座標位置を示す検知信号を後述の制御部３１などに出力する。
【００４２】
操作部５２は、例えば、メニューを呼び出すメニューキー、メニューを構成するＧＵＩのフォーカスを移動させる矢印キー、メニューを構成するＧＵＩに対して確定操作を行う決定キー等を備えるハードキーである。
【００４３】
送受信部５３は、ＬＡＮボード等の通信モジュールを有しており、後述の送受信制御部３２等の制御のもと、当該送受信部５３に接続されたネットワークＮを通じて、情報処理装置１等との間で種々のデータ通信を行う。尚、送受信部５３は、特許請求の範囲における受信部の一例である。
【００４４】
記憶部５４は、ＨＤＤ（Hard Disk Drive）やＳＳＤ（Solid State Drive）等の大容量の記憶装置である。
【００４５】
給紙カセット９ａ〜９ｄには、当該画像形成装置２での印刷処理に用いられる記録紙が収容されている。また、これらの各給紙カセット９ａ〜９ｄには、互いに異なる色の記録紙が収容されている。更に、各給紙カセット９ａ〜９ｄに収容されている記録紙の色を示す色情報は、当該記録紙を収容した給紙カセット９ａ〜９ｄの位置を示す位置情報と対応付けられて、情報処理装置１のＨＤＤ２４に予め記憶されている。なお、給紙カセット９ａ〜９ｄは、特許請求の範囲における給紙カセットに相当する。
【００４６】
制御ユニット３０は、ＣＰＵ、ＲＯＭ及びＲＡＭ等からなり、画像形成装置３の全体的な動作を司る。制御ユニット３０は、制御部３１、及び送受信制御部３２を備えている。
【００４７】
制御ユニット３０は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、ＡＳＩＣである。この制御ユニット３０は、上記記憶部５４等に記憶された印刷実行プログラムが上記のプロセッサーで実行されることにより、制御部３１、及び送受信制御部３２として機能する。なお、制御部３１、及び送受信制御部３２は、上記印刷実行プログラムに基づく動作によらず、それぞれハード回路により構成されてもよい。以下、特に触れない限り、各実施形態について同様である。
【００４８】
制御部３１は、画像形成装置２の全体的な動作を司るものであり、原稿読取部４０、原稿給送部４１、印刷部４２、画像メモリー４３、画像処理部４４、表示部５０、タッチパネル５１、操作部５２、送受信部５３、記憶部５４、及び給紙カセット９ａ〜９ｄ等と接続され、これら各部の駆動制御を行う。
【００４９】
送受信制御部３２は、送受信部５３による通信動作を制御する機能を有する。
【００５０】
次に、図４乃至図２２を参照して本実施形態の画像形成システム１００での動作について具体的に説明する。
【００５１】
まず図４乃至図６を参照して、本実施形態の情報処理装置１での動作について具体的に説明する。図４は、情報処理装置での処理の流れを示すフローチャートである。図５は、図４に示した（１）からの処理を示すフローチャートである。図６は、図４に示した（２）からの処理及び図５に示した（３）からの処理を示すフローチャートである。
【００５２】
制御部１１は、ユーザーにより、印刷ジョブの作成を指示する要求を上記操作受付部が受け付けたかどうかを判別する（Ｓ１）。例えば、制御部１１は、印刷ジョブ作成キーを表示部２１に表示させたときに（図示せず）、制御部１１は、上記印刷ジョブ作成キーがユーザーに指定されたかどうかを検出することにより、印刷ジョブの作成を指示する要求が行われたかどうかを判別する。制御部１１は、上記印刷ジョブ作成キーが指定されたことをタッチパネル２２が検出していなければ（Ｓ１でＮＯ）、Ｓ２には進まずに、情報処理装置１を待機状態とする。
【００５３】
一方、制御部１１は、ユーザーにより上記印刷ジョブ作成キーが指定され、タッチパネル２２により受け付けられたことを検出した場合は（Ｓ１でＹＥＳ）、ユーザーにより、印刷処理の対象となるドキュメントデータが指定されたかどうかを判別する（Ｓ２）。例えば、制御部１１は、図７に示すように、印刷処理の対象となるドキュメントデータの指定を促す表示、例えば印刷処理の対象となるドキュメントデータを指定する指定欄２２Ａを表示部２１に表示させる。そして、制御部１１は、指定欄２２Ａが指定されたことをタッチパネル２２が検出していなければ（Ｓ２でＮＯ）、Ｓ３には進まずに、情報処理装置１を待機状態とする。
【００５４】
一方、制御部１１は、ユーザーにより指定欄２２Ａが指定され、タッチパネル２２により受け付けられたことを検出した場合は（Ｓ２でＹＥＳ）、上記ドキュメントデータの指定処理が要求されたと判断する。そして、制御部１１は、ＨＤＤ２４に予め記憶されているドキュメントデータのファイル名、例えば「文章１.doc」、「文章２.doc」、及び「文章３.doc」を表示部２１に表示させる（図示せず）。そして、例えば、制御部１１は、ユーザーにより「文章１.doc」が指定され、タッチパネル２２により受け付けられたことを検出した場合は、指定されたドキュメントデータとして当該「文章１.doc」のドキュメントデータを設定する（Ｓ３）。そして、制御部１１は、図７に示すように、指定欄２２Ａ内に指定されたドキュメントデータのファイル名「文章１.doc」を表示させる。
【００５５】
そして、制御部１１は、ユーザーにより、印刷処理での印刷条件の指定が要求されたかどうかを判別する（Ｓ４）。例えば、制御部１１は、図７に示すように、印刷条件を設定する条件設定キー２２Ｂ、例えば記録紙色指定キー２２Ｂ１、印刷文字変更キー２２Ｂ２、両面印刷キー２２Ｂ３、頁集約キー２２Ｂ４、及び印刷部数キー２２Ｂ５を表示部２１に表示させる。そして、制御部１１は、条件設定キー２２Ｂが指定されたことをタッチパネル２２が検出していなければ（Ｓ４でＮＯ）、Ｓ５には進まずに、情報処理装置１を待機状態とする。
【００５６】
一方、制御部１１は，ユーザーにより条件設定キー２２Ｂが指定され、タッチパネル２２により受け付けられたことを検出した場合は（Ｓ４でＹＥＳ）、上記印刷条件の指定が要求されたと判断する。そして、プリンタードライバー部１３は、ユーザーにより、記録紙の色の指定が要求されたかどうかを判別する（Ｓ５）。例えば、プリンタードライバー部１３は、図８に示すように、記録紙の色の指定を促す表示を表示部２１に行わせる。そして、プリンタードライバー部１３は、指定される記録紙の色のボタンが指定されたことをタッチパネル２２が検出していなければ（Ｓ５でＮＯ）、Ｓ６には進まずに、情報処理装置１を待機状態とする。
【００５７】
一方、プリンタードライバー部１３は、指定される記録紙の色のボタン、例えば、図８に示す紫色のボタンが指定され、タッチパネル２２により受け付けられたことを検出した場合は、印刷条件として、紫色の記録紙を使用することを設定する（Ｓ６）。すなわち、プリンタードライバー部１３は、指定された記録紙の紫色を示す色情報に対応付けられた給紙カセット、例えば給紙カセット９ｃの位置情報をＨＤＤ２４から取得して、取得した給紙カセット９ｃの位置情報により示される当該給紙カセット９ｃに収容されている紫色の記録紙を印刷処理に用いることを指示する第１コマンドを上記印刷条件の一部として含める。そして、プリンタードライバー部１３は、図７に示すように、記録紙色指定キー２２Ｂ１の表示箇所に指定された「紫色」を表示させる。尚、プリンタードライバー部１３は、指定された色が給紙カセット９ａ〜９ｄになかった場合は、例えば、色の再指定を促す表示、又は当該指定された色の記録紙をいずれかの上記給紙カセットにセットすることを促す表示を表示部２１に行わせてもよい。
【００５８】
そして、プリンタードライバー部１３は、Ｓ３で設定されたファイル名「文章１.doc」のドキュメントデータに含まれた文字の印刷文字を変更する指定が要求されたかどうかを判別する（Ｓ７）。すなわち、プリンタードライバー部１３は、画像形成装置２で印刷処理される上記印刷文字を、ドキュメントデータで指定されている印刷条件、例えば黒色の色で、かつ、エフェクト（影又は輪郭）を付与しない状態から変更するか否かを判別する。例えば、プリンタードライバー部１３は、図７に示した印刷文字変更キー２２Ｂ２がユーザーに指定されたかどうかを検出することにより、印刷文字を変更する指定が要求されたかどうかを判別する。プリンタードライバー部１３は、印刷文字変更キー２２Ｂ２が指定されたことをタッチパネル２２が検出していなければ（Ｓ７でＮＯ）、黒色の色で、かつ、エフェクト（影又は輪郭）を付与しない状態での印刷処理を行わせると判断して、処理は後述のＳ１８に進む。
【００５９】
一方、プリンタードライバー部１３は、ユーザーにより印刷文字変更キー２２Ｂ２が指定され、タッチパネル２２により受け付けられたことを検出した場合は（Ｓ７でＹＥＳ）、上記ファイル名「文章１.doc」のドキュメントデータに含まれた文字の印刷文字を変更することが要求されたと判断する。そして、プリンタードライバー部１３は、上記ドキュメントデータにおいて、印刷文字を変更する範囲として当該ドキュメントデータの全文字を指定されるかどうかについて判別する（Ｓ８）。例えば、プリンタードライバー部１３は、図９に示すように、印刷文字の変更範囲、つまり文字の色の指定と予め定められたエフェクト及び当該エフェクトに使用される色の指定との対象となる文字の範囲指定を促す表示を表示部２１に行わせる。そして、プリンタードライバー部１３は、図９に示した全文字変更ボタンがユーザーに指定されたかどうかを検出することにより、上記ドキュメントデータに含まれた全文字について、印刷文字を変更する指定が要求されたかどうかを判別する。プリンタードライバー部１３は、ユーザーにより全文字変更ボタンが指定され、タッチパネル２２により受け付けられたことを検出した場合は（Ｓ８でＹＥＳ）、上記ドキュメントデータに含まれた全ての文字について印刷文字が変更されると設定する（Ｓ９）。そして、処理は後述のＳ１２に進む。
【００６０】
一方、プリンタードライバー部１３は、図９に示した表示画面において、ユーザーにより変更文字指定ボタンが指定され、タッチパネル２２により受け付けられたことを検出した場合は（Ｓ８でＮＯ）、上記ドキュメントデータに含まれた一部の文字（特定の文字）について印刷文字が変更されると判別する。そして、プリンタードライバー部１３は、例えば図１０に示すように、上記ドキュメントデータの印刷物Ｄを表示部２１に表示させ、ユーザーに対し、印刷文字を変更する文字（の範囲）についての指定を促して、当該印刷文字を変更する文字（の範囲）が指定されたか否かについて判別する（Ｓ１０）。そして、プリンタードライバー部１３は、表示部２１に表示させた印刷物Ｄの文字が指定されなければ（Ｓ１０でＮＯ）、Ｓ１１には進まず、情報処理装置１を待機状態とする。
【００６１】
一方、プリンタードライバー部１３は、図１０に示した表示画面において、印刷文字を変更する文字、例えば「Ｃ」、「Ｅ」、及び「Ｅ」の文字がユーザーにより指定され、タッチパネル２２により受け付けられたことを検出した場合は（Ｓ１０でＹＥＳ）、印刷文字を変更する文字として、当該「Ｃ」、「Ｅ」、及び「Ｅ」の文字が指定されたと設定して（Ｓ１１）、処理はＳ１２に進む。このように、本実施形態では、図９に示した表示画面を表示部２１に表示させることにより、印刷文字を変更する文字の範囲指定を促しているので、ユーザーは、印刷文字を変更する文字を容易に選択することができ、所望の印刷文字で印刷された印刷物を簡便に得ることができる。
【００６２】
また、プリンタードライバー部１３は、印刷文字を変更する文字について、文字の色の指定が要求されたかどうかを判別する（Ｓ１２）。例えば、プリンタードライバー部１３は、図１１の表示画面に示すように、上記印刷文字の色として予め定められた単色をユーザーが指定可能とするために、ユーザーに操作されたことを示すための画像を表示するチェック欄２２Ｅ１を表示部２１に表示させる。同様に、プリンタードライバー部１３は、図１１の表示画面に示すように、上記印刷文字の色として予め定められたグラデーションの色をユーザーが指定可能とするために、ユーザーに操作されたことを示すための画像を表示するチェック欄２２Ｅ２を表示部２１に表示させる。同様に、プリンタードライバー部１３は、図１１の表示画面に示すように、上記印刷文字でのエフェクト、つまり当該エフェクトの対象となる文字に対して影を付けることをユーザーが指定可能とするために、ユーザーに操作されたことを示すための画像を表示するチェック欄２２Ｅ３を表示部２１に表示させる。同様に、プリンタードライバー部１３は、図１１の表示画面に示すように、上記印刷文字でのエフェクト、つまり当該エフェクトの対象となる文字に対して輪郭を付けることをユーザーが指定可能とするために、ユーザーに操作されたことを示すための画像を表示するチェック欄２２Ｅ４を表示部２１に表示させる。
【００６３】
尚、プリンタードライバー部１３は、図１１の表示画面において、ユーザーにより、単色のチェック欄２２Ｅ１とグラデーションの色のチェック欄２２Ｅ２とが同時に指定され、タッチパネル２２により受け付けられたこと、更に実行キー２２Ｆが指定され、タッチパネル２２により受け付けられたことを検出した場合には、印刷文字の色について、単色及びグラデーションの色に同時に変更することは不可能であることから単色のチェック欄２２Ｅ１及びグラデーションの色のチェック欄２２Ｅ２への指定は無効であるとして、文字色の指定を再度行うこと指示する旨の表示を表示部２１に行わせる（図示せず）。また、プリンタードライバー部１３は、図１１の表示画面において、ユーザーにより、影のチェック欄２２Ｅ３と輪郭のチェック欄２２Ｅ４とが同時に指定され、タッチパネル２２により受け付けられたこと、更に実行キー２２Ｆが指定され、タッチパネル２２により受け付けられたことを検出した場合には、印刷文字において、影を付けることと輪郭を付けることとの双方を同時に行わせる。
【００６４】
そして、プリンタードライバー部１３は、図１１に示した表示画面において、単色のチェック欄２２Ｅ１又はグラデーションの色のチェック欄２２Ｅ２がユーザーに指定され、更に実行キー２２Ｆがユーザーに指定されたかどうかを検出することにより、印刷文字に対する文字色の変更を指定する要求が行われたかどうかを判別する。プリンタードライバー部１３は、単色のチェック欄２２Ｅ１又はグラデーションの色のチェック欄２２Ｅ２が指定されたことをタッチパネル２２が検出していなければ、つまり影のチェック欄２２Ｅ３又は輪郭の２２Ｅ４が指定され、タッチパネル２２により受け付けられたこと、更に実行キー２２Ｆが指定され、タッチパネル２２により受け付けられたことを検出した場合には（Ｓ１２でＮＯ）、印刷文字において、エフェクトを付与する要求が行われたと判断して、処理は後述のＳ３５に進む。
【００６５】
一方、プリンタードライバー部１３は、ユーザーにより単色のチェック欄２２Ｅ１又はグラデーションの色のチェック欄２２Ｅ２が指定され、タッチパネル２２により受け付けられたこと、更に実行キー２２Ｆが指定され、タッチパネル２２により受け付けられたことを検出した場合には（Ｓ１２でＹＥＳ）、印刷文字を変更する文字について、文字の色の指定が要求されたと判断する。そして、プリンタードライバー部１３は、図５に示すように、印刷文字の色として予め定められた単色の指定が要求されたかどうかを判別する（Ｓ１３）。つまり、プリンタードライバー部１３は、図１１の表示画面において、ユーザーにより単色のチェック欄２２Ｅ１が指定され、タッチパネル２２により受け付けられたことを検出した場合には（Ｓ１３でＹＥＳ）、単色の色の指定が要求されたと判断する。そして、プリンタードライバー部１３は、単色の色の選択を促す表示を表示部２１に行わせる（Ｓ１４）。例えば、プリンタードライバー部１３は、図１２に示すように、文字の色を指定するための文字の色キー２２Ｇと、エフェクトの色を指定するためのエフェクトの色キー２２Ｈと、予め定められた単色の色として８種類の単色の色のボタン２２Ｉ１、２２Ｉ２、２２Ｉ３、２２Ｉ４、２２Ｉ５、２２Ｉ６、２２Ｉ７、及び２２Ｉ８を表示部２１に表示させる。また、プリンタードライバー部１３は、図１２に示すように、８種類の各単色の色のボタン２２Ｉ１〜２２Ｉ８において、例えば５段階の濃淡を指定することが可能な５個のボタンを表示部２１に表示させる。
【００６６】
続いて、プリンタードライバー部１３は、図１２の表示画面において、ユーザーにより文字の色キー２２Ｇが指定され、タッチパネル２２により受け付けられたこと、更に５段階のいずれかの濃淡でいずれかの一つの単色の色のボタン、例えば、最も濃い（図１２での最も下の）ボタン２２Ｉ３が指定され、タッチパネル２２により受け付けられたことを検出した場合には、当該ボタン２２Ｉ３に対応付けられた単色の色（例えば、肌色）が指定されたと判断する。そして、プリンタードライバー部１３は、この指定された単色の色と、上記Ｓ６で設定された記録紙の色との組合せがＯＫかどうかを判定する（Ｓ１５）。例えば、プリンタードライバー部１３は、ＨＤＤ２４に記憶されている禁則テーブルＴ１（図１３）を参照して、指定された単色の色と設定された記録紙の色との組合せが禁則テーブルＴ１で禁止されているかを判別することにより、当該組合せがＯＫかどうかを判定する。そして、プリンタードライバー部１３は、禁則テーブルＴ１で禁止されていないことを判別したときは（Ｓ１５でＹＥＳ）、指定された単色の色（最も濃いボタン２２Ｉ３に対応付けられた単色の色）を、印刷文字に用いられる文字の色として設定する（Ｓ１６）。
【００６７】
そして、プリンタードライバー部１３は、印刷文字において、エフェクト及び当該エフェクトに使用される色の指定が要求されたかどうかを判別する（Ｓ１７）。例えば、プリンタードライバー部１３は、図１１に示した表示画面において、影のチェック欄２２Ｅ３又は輪郭のチェック欄２２Ｅ４の少なくとも一方がユーザーに指定され、更に実行キー２２Ｆがユーザーに指定されたかどうかを検出することにより、印刷文字に対してエフェクトを付加する要求が行われたかどうかを判別する。プリンタードライバー部１３は、影のチェック欄２２Ｅ３又は輪郭のチェック欄２２Ｅ４の少なくとも一方が指定されたことをタッチパネル２２が検出していなければ（Ｓ１７でＮＯ）、上記Ｓ６で設定された記録紙の色と上記Ｓ１６で設定された単色の色とを用いたプレビュー表示を表示部２１に行わせる（Ｓ１８）。例えば、プリンタードライバー部１３は、図１４（Ａ）に示すように、上記プレビュー表示として、Ｓ６で設定された色ＰＣ１で表示した記録紙の画像Ｐ上において、上記Ｓ１１で設定された「Ｃ」、「Ｅ」、及び「Ｅ」の指定文字の各画像ＳをＳ１６で設定された単色の色ＳＣ１で表示部２１に表示させる。
【００６８】
そして、プリンタードライバー部１３は、ユーザーにより、プレビュー表示した設定の内容が許可されたか否かを判別する（Ｓ１９）。例えば、プリンタードライバー部１３は、図１４（Ａ）の表示画面において、ユーザーにより戻るキー２２Ｊ２が指定され、タッチパネル２２により受け付けられたことを検出した場合は（Ｓ１９でＮＯ）、プレビュー表示した設定の内容がユーザーに許可されなかったと判断して、処理は上記Ｓ５に戻って処理をやり直す。一方、プリンタードライバー部１３は、図１４（Ａ）の表示画面において、ユーザーによりＯＫキー２２Ｊ１が指定され、タッチパネル２２により受け付けられたことを検出した場合は（Ｓ１９でＹＥＳ）、プレビュー表示した設定の内容がユーザーに許可されたと判断して、Ｓ１６で設定された単色の色を印刷処理に用いることを指示する第２コマンドを印刷条件の一部として含め、処理は後述のＳ５０に進む。また、プリンタードライバー部１３は、図７に示すように、印刷文字変更キー２２Ｂ２の表示箇所に指定された「肌色」及び「エフェクトなし」を表示させる。
【００６９】
また、上記Ｓ７で印刷文字が変更されなかった場合には、Ｓ６で設定された色ＰＣ１で表示した記録紙の画像Ｐ上において、黒色の色で、かつ、エフェクト（影又は輪郭）を付与しない状態の文字の画像がプレビュー表示される（図示せず）。すなわち、情報処理装置１では、ユーザーにより印刷文字の変更を指示する要求が行われない場合には、プリンタードライバー部１３にデフォルトとして予め設定されている、ドキュメントデータでの指定の印刷条件、例えば黒色の色で、かつ、エフェクト（影又は輪郭）を付与しない状態で、文字の印刷処理を行うように、印刷条件が予め定められている。なお、上記の説明以外に、予め定められた見本の文字、例えば「あ」を用いて、プレビュー表示を行う構成でもよい。
【００７０】
また、プリンタードライバー部１３は、指定された単色の色と設定された記録紙の色との組合せが禁則テーブルＴ１で禁止されていることを判別したときは（Ｓ１５でＮＯ）、これらの組合せを拒否する旨の表示を表示部２１に行わせる（Ｓ２０）。例えば、プリンタードライバー部１３は、図２０に示すように、記録紙と文字の色とを同系色の色に指定することができない旨の表示を表示部２１に行わせて、処理は上記Ｓ５に戻って処理をやり直す。このように、本実施形態では、ＨＤＤ２４に予め記憶された禁則テーブルＴ１を用いて、当該禁則テーブルＴ１で禁止されている記録紙の色と文字の色との組合せがユーザーにより指定されたときに、当該組合せを適用した印刷処理の実行を拒否する。このため、本実施形態では、画像形成装置２において、ユーザーにより色が指定された記録紙に対して、判読し難い文字の色で印刷文字が印刷処理されるのを未然に防ぐことができ、当該画像形成装置２での印刷処理を適切に行うことができる。
【００７１】
また、プリンタードライバー部１３は、図１１の表示画面において、ユーザーにより単色のチェック欄２２Ｅ１が指定されていないことを検出した場合には（Ｓ１３でＮＯ）、印刷文字の色として予め定められたグラデーションの色の指定が要求されたかどうかを判別する（Ｓ２１）。つまり、プリンタードライバー部１３は、図１１の表示画面において、ユーザーによりグラデーションの色のチェック欄２２Ｅ２が指定され、タッチパネル２２により受け付けられたことを検出した場合には（Ｓ２１でＹＥＳ）、グラデーションの色の指定が要求されたと判断する。そして、プリンタードライバー部１３は、グラデーションの色の選択を促す表示を表示部２１に行わせる（Ｓ２２）。例えば、プリンタードライバー部１３は、図２１に示すように、上記文字の色キー２２Ｇと、上記エフェクトの色キー２２Ｈと、予め定められたグラデーションの色として８種類のグラデーションの色のボタン２２Ｌ１、２２Ｌ２、２２Ｌ３、２２Ｌ４、２２Ｌ５、２２Ｌ６、２２Ｌ７、及び２２Ｌ８を表示部２１に表示させる。また、プリンタードライバー部１３は、図２１に示すように、８種類の各グラデーションの色のボタン２２Ｌ１〜２２Ｌ８において、例えば５段階の濃淡を指定することが可能な５個のボタンを表示部２１に表示させる。
【００７２】
続いて、プリンタードライバー部１３は、図２１の表示画面において、ユーザーにより文字のキー２２Ｇが指定され、タッチパネル２２により受け付けられたこと、更に５段階のいずれかの濃淡でいずれかの一つのグラデーションの色のボタン、例えば、最も薄い（図２１での最も上の）ボタン２２Ｌ７が指定され、タッチパネル２２により受け付けられたことを検出した場合には、当該ボタン２２Ｌ７に対応付けられたグラデーションの色が指定されたと判断する。そして、プリンタードライバー部１３は、この指定されたグラデーションの色と、上記Ｓ６で設定された記録紙の色との組合せがＯＫかどうかを判定する（Ｓ２３）。例えば、プリンタードライバー部１３は、上記禁則テーブルＴ１（図１３）を参照して、指定されたグラデーションの色と設定された記録紙の色との組合せが禁則テーブルＴ１で禁止されているかを判別することにより、当該組合せがＯＫかどうかを判定する。そして、プリンタードライバー部１３は、禁則テーブルＴ１で禁止されていることを判別したときは（Ｓ２３でＮＯ）、これらの組合せを拒否する旨の表示を表示部２１に行わせる（Ｓ２０）。
【００７３】
一方、プリンタードライバー部１３は、禁則テーブルＴ１で禁止されていないことを判別したときは（Ｓ２３でＹＥＳ）、指定されたグラデーションの色（最も薄いボタン２２Ｌ７に対応付けられたグラデーションの色）を、印刷文字に用いられる文字の色として設定する（Ｓ２４）。
【００７４】
そして、プリンタードライバー部１３は、上記Ｓ１７の処理を行い、Ｓ２４で設定した印刷文字において、エフェクト及び当該エフェクトに使用される色の指定が要求されていないことを判別したときは（Ｓ１７でＮＯ）、上記Ｓ６で設定された記録紙の色と上記Ｓ２４で設定されたグラデーションの色とを用いたプレビュー表示を表示部２１に行わせる（Ｓ１８）。例えば、プリンタードライバー部１３は、図１４（Ｂ）に示すように、上記プレビュー表示として、Ｓ６で設定された色ＰＣ２で表示した記録紙の画像Ｐ上において、上記Ｓ１１で設定された「Ｃ」、「Ｅ」、及び「Ｅ」の指定文字の各画像ＳをＳ２４で設定されたグラデーションの色ＳＣ２で表示部２１に表示させる。
【００７５】
そして、プリンタードライバー部１３は、ユーザーにより、プレビュー表示した設定の内容が許可されたか否かを判別する（Ｓ１９）。例えば、プリンタードライバー部１３は、図１４（Ｂ）の表示画面において、ユーザーにより戻るキー２２Ｊ２が指定され、タッチパネル２２により受け付けられたことを検出した場合は（Ｓ１９でＮＯ）、プレビュー表示した設定の内容がユーザーに許可されなかったと判断して、処理は上記Ｓ５に戻って処理をやり直す。一方、プリンタードライバー部１３は、図１４（Ｂ）の表示画面において、ユーザーによりＯＫキー２２Ｊ１が指定され、タッチパネル２２により受け付けられたことを検出した場合は（Ｓ１９でＹＥＳ）、プレビュー表示した設定の内容がユーザーに許可されたと判断して、Ｓ２４で設定されたグラデーションの色を印刷処理に用いることを指示する第２コマンドを印刷条件の一部として含め、処理は後述のＳ５０に進む。
【００７６】
また、プリンタードライバー部１３は、図１１の表示画面において、ユーザーによりグラデーションの色のチェック欄２２Ｅ２が指定されなければ（Ｓ２１でＮＯ）、上記Ｓ１２で図１１の表示画面を表示部２１に表示させた時点から予め定められた所定時間が経過したかどうかを判別する（Ｓ２５）。プリンタードライバー部１３は、予め定められた所定時間が経過していないことを判別したときは（Ｓ２５でＮＯ）、情報処理装置１を待機状態とする。一方、プリンタードライバー部１３は、予め定められた所定時間が経過したことを判別すれば（Ｓ２５でＹＥＳ）、文字色の変更が中止されたと判断して、処理は、後述のＳ５０に進む。
【００７７】
また、プリンタードライバー部１３は、上記Ｓ１６で単色の色が設定された後、上記Ｓ１７において、影のチェック欄２２Ｅ３又は輪郭のチェック欄２２Ｅ４の少なくとも一方が指定され、タッチパネル２２が受け付けたことを検出した場合には（Ｓ１７でＹＥＳ）、印刷文字について、エフェクト及び当該エフェクトに使用される文字の指定が要求されたと判断する。そして、プリンタードライバー部１３は、影の指定が要求されたかどうかを判別する（Ｓ２６）。すなわち、プリンタードライバー部１３は、図１１の表示画面において、ユーザーにより影のチェック欄２２Ｅ３が指定され、タッチパネル２２により受け付けられたことを検出した場合には（Ｓ２６でＹＥＳ）、エフェクトとして影を付けることが要求されたと判断する。そして、プリンタードライバー部１３は、当該影に使用される色の選択を促す表示を表示部２１に行わせる（Ｓ２７）。例えば、プリンタードライバー部１３は、ユーザーの操作に従って、図１２に示した単色の色を指定する表示画面又は図２１に示したグラデーションの色を指定する表示画面を表示部２１に表示させる。
【００７８】
そして、プリンタードライバー部１３は、例えば、図１２の表示画面において、ユーザーによりエフェクトの色キー２２Ｈが指定され、タッチパネル２２により受け付けられたこと、更に５段階のいずれかの濃淡でいずれかの一つの単色の色のボタン、例えば、最も濃い（図１２での最も下の）ボタン２２Ｉ４が指定され、タッチパネル２２により受け付けられたことを検出した場合には、当該ボタン２２Ｉ４に対応付けられた単色の色（例えば、赤色）が影に使用される色に指定されたと判断する。そして、プリンタードライバー部１３は、この影に使用される色に指定された単色の色と、上記Ｓ６で設定された記録紙の色との組合せがＯＫかどうかを判定する（Ｓ２８）。例えば、プリンタードライバー部１３は、上記禁則テーブルＴ１（図１３）を参照して、影に使用される色に指定された単色の色と設定された記録紙の色との組合せが禁則テーブルＴ１で禁止されているかを判別することにより、当該組合せがＯＫかどうかを判定する。そして、プリンタードライバー部１３は、禁則テーブルＴ１で禁止されていることを判別したときは（Ｓ２８でＮＯ）、これらの組合せを拒否する旨の表示を表示部２１に行わせる（Ｓ３１）。
【００７９】
一方、プリンタードライバー部１３は、禁則テーブルＴ１で禁止されていないことを判別したときは（Ｓ２８でＹＥＳ）、影に使用される色に指定された単色の色（最も濃いボタン２２Ｉ４に対応付けられた単色の色）を、印刷文字に付与される影に使用される文字の色として設定する（Ｓ２９）。続いて、プリンタードライバー部１３は、輪郭の指定が要求されたかどうかを判別する（Ｓ３０）。すなわち、プリンタードライバー部１３は、図１１の表示画面において、ユーザーにより輪郭のチェック欄２２Ｅ４が指定され、タッチパネル２２により受け付けられたことを検出した場合には（Ｓ３０でＹＥＳ）、エフェクトとして輪郭を付けることが要求されたと判断して、処理は、後述のＳ３２に進む。
【００８０】
一方、プリンタードライバー部１３は、図１１の表示画面において、ユーザーにより輪郭のチェック欄２２Ｅ４が指定されていなければ（Ｓ３０でＮＯ）、エフェクトとして輪郭を付けることが要求されていないと判断する。そして、プリンタードライバー部１３は、上記Ｓ６で設定された記録紙の色と上記Ｓ１６で設定された印刷文字での文字の色と上記Ｓ２９で設定された影に使用される色とを用いたプレビュー表示を表示部２１に行わせる（Ｓ１８）。例えば、プリンタードライバー部１３は、図１５（Ａ）に示すように、上記プレビュー表示として、Ｓ６で設定された色ＰＣ１で表示した記録紙の画像Ｐ上において、上記Ｓ１１で設定された「Ｃ」、「Ｅ」、及び「Ｅ」の指定文字の各画像Ｓについて、Ｓ２９で設定された影に使用される色ＳＥ１を使用したエフェクトとしての影の画像を付与するとともに、Ｓ１６で設定された文字の色ＳＣ１で各画像Ｓを表示部２１に表示させる。
【００８１】
そして、プリンタードライバー部１３は、ユーザーにより、プレビュー表示した設定の内容が許可されたか否かを判別する（Ｓ１９）。例えば、プリンタードライバー部１３は、図１５（Ａ）の表示画面において、ユーザーにより戻るキー２２Ｊ２が指定され、タッチパネル２２により受け付けられたことを検出した場合は（Ｓ１９でＮＯ）、プレビュー表示した設定の内容がユーザーに許可されなかったと判断して、処理は上記Ｓ５に戻って処理をやり直す。一方、プリンタードライバー部１３は、図１５（Ａ）の表示画面において、ユーザーによりＯＫキー２２Ｊ１が指定され、タッチパネル２２により受け付けられたことを検出した場合は（Ｓ１９でＹＥＳ）、プレビュー表示した設定の内容がユーザーに許可されたと判断して、Ｓ１６で設定された単色の色とＳ２９で設定された影及び当該影に使用される色とを印刷処理に用いることを指示する第２コマンドを印刷条件の一部として含め、処理は後述のＳ５０に進む。
【００８２】
また、プリンタードライバー部１３は、上記Ｓ１６で単色の色が設定された後、上記Ｓ２６において、影のチェック欄２２Ｅ３が指定されずに、輪郭のチェック欄２２Ｅ４が指定され、タッチパネル２２が受け付けたことを検出した場合には（Ｓ２６でＮＯ）、エフェクトとして輪郭を付けることが要求されたと判断する。そして、プリンタードライバー部１３は、当該輪郭に使用される色の選択を促す表示を表示部２１に行わせる（Ｓ３２）。例えば、プリンタードライバー部１３は、ユーザーの操作に従って、図１２に示した単色の色を指定する表示画面又は図２１に示したグラデーションの色を指定する表示画面を表示部２１に表示させる。
【００８３】
そして、プリンタードライバー部１３は、例えば、図１２の表示画面において、ユーザーによりエフェクトの色キー２２Ｈが指定され、タッチパネル２２により受け付けられたこと、更に５段階のいずれかの濃淡でいずれかの一つの単色の色のボタン、例えば、最も濃い（図１２での最も下の）ボタン２２Ｉ５が指定され、タッチパネル２２により受け付けられたことを検出した場合には、当該ボタン２２Ｉ５に対応付けられた単色の色（例えば、オレンジ色）が輪郭に使用される色に指定されたと判断する。そして、プリンタードライバー部１３は、この輪郭に使用される色に指定された単色の色と、上記Ｓ６で設定された記録紙の色との組合せがＯＫかどうかを判定する（Ｓ３３）。例えば、プリンタードライバー部１３は、上記禁則テーブルＴ１（図１３）を参照して、輪郭に使用される色に指定された単色の色と設定された記録紙の色との組合せが禁則テーブルＴ１で禁止されているかを判別することにより、当該組合せがＯＫかどうかを判定する。そして、プリンタードライバー部１３は、禁則テーブルＴ１で禁止されていることを判別したときは（Ｓ３３でＮＯ）、これらの組合せを拒否する旨の表示を表示部２１に行わせる（Ｓ３１）。
【００８４】
一方、プリンタードライバー部１３は、禁則テーブルＴ１で禁止されていないことを判別したときは（Ｓ３３でＹＥＳ）、輪郭に使用される色に指定された単色の色（最も濃いボタン２２Ｉ５に対応付けられた単色の色）を、印刷文字に付与される輪郭に使用される文字の色として設定する（Ｓ３４）。そして、プリンタードライバー部１３は、上記Ｓ６で設定された記録紙の色と上記Ｓ１６で設定された印刷文字での文字の色と上記Ｓ３４で設定された輪郭に使用される色とを用いたプレビュー表示を表示部２１に行わせる（Ｓ１８）。例えば、プリンタードライバー部１３は、図１５（Ｂ）に示すように、上記プレビュー表示として、Ｓ６で設定された色ＰＣ１で表示した記録紙の画像Ｐ上において上記Ｓ１１で設定された「Ｃ」、「Ｅ」、及び「Ｅ」の指定文字の各画像Ｓについて、Ｓ３４で設定された輪郭に使用される色ＳＥ２を使用したエフェクトとしての輪郭の画像を付与するとともに、Ｓ１６で設定された文字の色ＳＣ１で各画像Ｓを表示部２１に表示させる。
【００８５】
そして、プリンタードライバー部１３は、ユーザーにより、プレビュー表示した設定の内容が許可されたか否かを判別する（Ｓ１９）。例えば、プリンタードライバー部１３は、図１５（Ｂ）の表示画面において、ユーザーにより戻るキー２２Ｊ２が指定され、タッチパネル２２により受け付けられたことを検出した場合は（Ｓ１９でＮＯ）、プレビュー表示した設定の内容がユーザーに許可されなかったと判断して、処理は上記Ｓ５に戻って処理をやり直す。一方、プリンタードライバー部１３は、図１５（Ｂ）の表示画面において、ユーザーによりＯＫキー２２Ｊ１が指定され、タッチパネル２２により受け付けられたことを検出した場合は（Ｓ１９でＹＥＳ）、プレビュー表示した設定の内容がユーザーに許可されたと判断して、Ｓ１６で設定された単色の色とＳ３４で設定された輪郭及び当該輪郭に使用される色とを印刷処理に用いることを指示する第２コマンドを印刷条件の一部として含め、処理は後述のＳ５０に進む。
【００８６】
また、プリンタードライバー部１３は、上記Ｓ２４でグラデーションの色が設定された後、上記Ｓ２６において、影のチェック欄２２Ｅ３が指定され、タッチパネル２２が受け付けたことを検出した場合には（Ｓ２６でＹＥＳ）、エフェクトとして影を付けることが要求されたと判断する。そして、プリンタードライバー部１３は、当該影に使用される色の選択を促す表示を表示部２１に行わせる（Ｓ２７）。例えば、プリンタードライバー部１３は、ユーザーの操作に従って、図１２に示した単色の色を指定する表示画面又は図２１に示したグラデーションの色を指定する表示画面を表示部２１に表示させる。
【００８７】
そして、プリンタードライバー部１３は、例えば、図１２の表示画面において、ユーザーによりエフェクトの色キー２２Ｈが指定され、タッチパネル２２により受け付けられたこと、更に５段階のいずれかの濃淡でいずれかの一つの単色の色のボタン、例えば、最も濃い（図１２での最も下の）ボタン２２Ｉ４が指定され、タッチパネル２２により受け付けられたことを検出した場合には、当該ボタン２２Ｉ４に対応付けられた単色の色（例えば、赤色）が影に使用される色に指定されたと判断する。そして、プリンタードライバー部１３は、この影に使用される色に指定された単色の色と、上記Ｓ６で設定された記録紙の色との組合せがＯＫかどうかを判定する（Ｓ２８）。例えば、プリンタードライバー部１３は、上記禁則テーブルＴ１（図１３）を参照して、影に使用される色に指定された単色の色と設定された記録紙の色との組合せが禁則テーブルＴ１で禁止されているかを判別することにより、当該組合せがＯＫかどうかを判定する。そして、プリンタードライバー部１３は、禁則テーブルＴ１で禁止されていることを判別したときは（Ｓ２８でＮＯ）、これらの組合せを拒否する旨の表示を表示部２１に行わせる（Ｓ３１）。
【００８８】
一方、プリンタードライバー部１３は、禁則テーブルＴ１で禁止されていないことを検出したときは（Ｓ２８でＹＥＳ）、影に使用される色に指定された単色の色（最も濃いボタン２２Ｉ４に対応付けられた単色の色）を、印刷文字に付与される影に使用される文字の色として設定する（Ｓ２９）。続いて、プリンタードライバー部１３は、輪郭の指定が要求されたかどうかを判別する（Ｓ３０）。すなわち、プリンタードライバー部１３は、図１１の表示画面において、ユーザーにより輪郭のチェック欄２２Ｅ４が指定され、タッチパネル２２により受け付けられたことを検出した場合には（Ｓ３０でＹＥＳ）、エフェクトとして輪郭を付けることが要求されたと判断して、処理は、後述のＳ３２に進む。
【００８９】
一方、プリンタードライバー部１３は、図１１の表示画面において、ユーザーにより輪郭のチェック欄２２Ｅ４が指定されていなければ（Ｓ３０でＮＯ）、エフェクトとして輪郭を付けることが要求されていないと判断する。そして、プリンタードライバー部１３は、上記Ｓ６で設定された記録紙の色と上記Ｓ２４で設定された印刷文字での文字の色と上記Ｓ２９で設定された影に使用される色とを用いたプレビュー表示を表示部２１に行わせる（Ｓ１８）。例えば、プリンタードライバー部１３は、図１６（Ａ）に示すように、上記プレビュー表示として、Ｓ６で設定された色ＰＣ１で表示した記録紙の画像Ｐ上において、上記Ｓ１１で設定された「Ｃ」、「Ｅ」、及び「Ｅ」の指定文字の各画像Ｓについて、Ｓ２９で設定された影に使用される色ＳＥ１を使用したエフェクトとしての影の画像を付与するとともに、Ｓ２４で設定された文字の色ＳＣ２で各画像Ｓを表示部２１に表示させる。
【００９０】
そして、プリンタードライバー部１３は、ユーザーにより、プレビュー表示した設定の内容が許可されたか否かを判別する（Ｓ１９）。例えば、プリンタードライバー部１３は、図１６（Ａ）の表示画面において、ユーザーにより戻るキー２２Ｊ２が指定され、タッチパネル２２により受け付けられたことを検出した場合は（Ｓ１９でＮＯ）、プレビュー表示した設定の内容がユーザーに許可されなかったと判断して、処理は上記Ｓ５に戻って処理をやり直す。一方、プリンタードライバー部１３は、図１６（Ａ）の表示画面において、ユーザーによりＯＫキー２２Ｊ１が指定され、タッチパネル２２により受け付けられたことを検出した場合は（Ｓ１９でＹＥＳ）、プレビュー表示した設定の内容がユーザーに許可されたと判断して、Ｓ２４で設定されたグラデーションの色とＳ２９で設定された影及び当該影に使用される色とを印刷処理に用いることを指示する第２コマンドを印刷条件の一部として含め、処理は後述のＳ５０に進む。
【００９１】
また、プリンタードライバー部１３は、上記Ｓ２４で単色の色が設定された後、上記Ｓ２６において、影のチェック欄２２Ｅ３が指定されずに、輪郭のチェック欄２２Ｅ４が指定され、タッチパネル２２が受け付けたことを検出した場合には（Ｓ２６でＮＯ）、エフェクトとして輪郭を付けることが要求されたと判断する。そして、プリンタードライバー部１３は、当該輪郭に使用される色の選択を促す表示を表示部２１に行わせる（Ｓ３２）。例えば、プリンタードライバー部１３は、ユーザーの操作に従って、図１２に示した単色の色を指定する表示画面又は図２１に示したグラデーションの色を指定する表示画面を表示部２１に表示させる。
【００９２】
そして、プリンタードライバー部１３は、例えば、図１２の表示画面において、ユーザーによりエフェクトの色キー２２Ｈが指定され、タッチパネル２２により受け付けられたこと、更に５段階のいずれかの濃淡でいずれかの一つの単色の色のボタン、例えば、最も濃い（図１２での最も下の）ボタン２２Ｉ５が指定され、タッチパネル２２により受け付けられたことを検出した場合には、当該ボタン２２Ｉ５に対応付けられた単色の色（例えば、オレンジ色）が輪郭に使用される色に指定されたと判断する。そして、プリンタードライバー部１３は、この輪郭に使用される色に指定された単色の色と、上記Ｓ６で設定された記録紙の色との組合せがＯＫかどうかを判定する（Ｓ３３）。例えば、プリンタードライバー部１３は、上記禁則テーブルＴ１（図１３）を参照して、影に使用される色に指定された単色の色と設定された記録紙の色との組合せが禁則テーブルＴ１で禁止されているかを判別することにより、当該組合せがＯＫかどうかを判定する。そして、プリンタードライバー部１３は、禁則テーブルＴ１で禁止されていることを判別したときは（Ｓ３３でＮＯ）、これらの組合せを拒否する旨の表示を表示部２１に行わせる（Ｓ３１）。
【００９３】
一方、プリンタードライバー部１３は、禁則テーブルＴ１で禁止されていないことを検出したときは（Ｓ３３でＹＥＳ）、輪郭に使用される色に指定された単色の色（最も濃いボタン２２Ｉ５に対応付けられた単色の色）を、印刷文字に付与される輪郭に使用される文字の色として設定する（Ｓ３４）。そして、プリンタードライバー部１３は、上記Ｓ６で設定された記録紙の色と上記Ｓ２４で設定された印刷文字での文字の色と上記Ｓ３４で設定された輪郭に使用される色とを用いたプレビュー表示を表示部２１に行わせる（Ｓ１８）。例えば、プリンタードライバー部１３は、図１６（Ｂ）に示すように、上記プレビュー表示として、Ｓ６で設定された色ＰＣ１で表示した記録紙の画像Ｐ上において、上記Ｓ１１で設定された「Ｃ」、「Ｅ」、及び「Ｅ」の指定文字の各画像Ｓについて、Ｓ３４で設定された輪郭に使用される色ＳＥ２を使用したエフェクトとしての輪郭の画像を付与するとともに、Ｓ２４で設定された文字の色ＳＣ２で各画像Ｓを表示部２１に表示させる。
【００９４】
そして、プリンタードライバー部１３は、ユーザーにより、プレビュー表示した設定の内容が許可されたか否かを判別する（Ｓ１９）。例えば、プリンタードライバー部１３は、図１６（Ｂ）の表示画面において、ユーザーにより戻るキー２２Ｊ２が指定され、タッチパネル２２により受け付けられたことを検出した場合は（Ｓ１９でＮＯ）、プレビュー表示した設定の内容がユーザーに許可されなかったと判断して、処理は上記Ｓ５に戻って処理をやり直す。一方、プリンタードライバー部１３は、図１６（Ｂ）の表示画面において、ユーザーによりＯＫキー２２Ｊ１が指定され、タッチパネル２２により受け付けられたことを検出した場合は（Ｓ１９でＹＥＳ）、プレビュー表示した設定の内容がユーザーに許可されたと判断して、Ｓ２４で設定されたグラデーションの色とＳ３４で設定された輪郭及び当該輪郭に使用される色とを印刷処理に用いることを指示する第２コマンドを印刷条件の一部として含め、処理は後述のＳ５０に進む。
【００９５】
また、プリンタードライバー部１３は、上記Ｓ１６で単色の色が設定された後、上記Ｓ２６において、影のチェック欄２２Ｅ３が指定され、上記Ｓ３０において、輪郭のチェック欄２２Ｅ４が指定され、タッチパネル２２が受け付けたことを検出した場合には（Ｓ３０でＹＥＳ）、エフェクトとして、影を付けることに加えて、輪郭を付けることが要求されたと判断する。そして、プリンタードライバー部１３は、当該輪郭に使用される色の選択を促す表示を表示部２１に行わせる（Ｓ３２）。例えば、プリンタードライバー部１３は、ユーザーの操作に従って、図１２に示した単色の色を指定する表示画面又は図２１に示したグラデーションの色を指定する表示画面を表示部２１に表示させる。
【００９６】
そして、プリンタードライバー部１３は、例えば、図１２の表示画面において、ユーザーによりエフェクトの色キー２２Ｈが指定され、タッチパネル２２により受け付けられたこと、更に５段階のいずれかの濃淡でいずれかの一つの単色の色のボタン、例えば、最も濃い（図１２での最も下の）ボタン２２Ｉ５が指定され、タッチパネル２２により受け付けられたことを検出した場合には、当該ボタン２２Ｉ５に対応付けられた単色の色（例えば、オレンジ色）が輪郭に使用される色に指定されたと判断する。そして、プリンタードライバー部１３は、この輪郭に使用される色に指定された単色の色と、上記Ｓ６で設定された記録紙の色との組合せがＯＫかどうかを判定する（Ｓ３３）。例えば、プリンタードライバー部１３は、上記禁則テーブルＴ１（図１３）を参照して、輪郭に使用される色に指定された単色の色と設定された記録紙の色との組合せが禁則テーブルＴ１で禁止されているかを判別することにより、当該組合せがＯＫかどうかを判定する。そして、プリンタードライバー部１３は、禁則テーブルＴ１で禁止されていることを判別したときは（Ｓ３３でＮＯ）、これらの組合せを拒否する旨の表示を表示部２１に行わせる（Ｓ３１）。
【００９７】
一方、プリンタードライバー部１３は、禁則テーブルＴ１で禁止されていないことを判別したときは（Ｓ３３でＹＥＳ）、輪郭に使用される色に指定された単色の色（最も濃いボタン２２Ｉ５に対応付けられた単色の色）を、印刷文字に付与される輪郭に使用される文字の色として設定する（Ｓ３４）。そして、プリンタードライバー部１３は、上記Ｓ６で設定された記録紙の色と上記Ｓ１６で設定された印刷文字での文字の色と上記Ｓ２９で設定された影に使用される色と上記Ｓ３４で設定された輪郭に使用される色とを用いたプレビュー表示を表示部２１に行わせる（Ｓ１８）。例えば、プリンタードライバー部１３は、図１７（Ａ）に示すように、上記プレビュー表示として、Ｓ６で設定された色ＰＣ１で表示した記録紙の画像Ｐ上において、上記Ｓ１１で設定された「Ｃ」、「Ｅ」、及び「Ｅ」の指定文字の各画像Ｓについて、Ｓ２９で設定された影に使用される色ＳＥ１及びＳ３４で設定された輪郭に使用される色ＳＥ２を使用したエフェクトとしての影及び輪郭の画像を付与するとともに、Ｓ１６で設定された文字の色ＳＣ１で各画像Ｓを表示部２１に表示させる。
【００９８】
そして、プリンタードライバー部１３は、ユーザーにより、プレビュー表示した設定の内容が許可されたか否かを判別する（Ｓ１９）。例えば、プリンタードライバー部１３は、図１７（Ａ）の表示画面において、ユーザーにより戻るキー２２Ｊ２が指定され、タッチパネル２２により受け付けられたことを検出した場合は（Ｓ１９でＮＯ）、プレビュー表示した設定の内容がユーザーに許可されなかったと判断して、処理は上記Ｓ５に戻って処理をやり直す。一方、プリンタードライバー部１３は、図１７（Ａ）の表示画面において、ユーザーによりＯＫキー２２Ｊ１が指定され、タッチパネル２２により受け付けられたことを検出した場合は（Ｓ１９でＹＥＳ）、プレビュー表示した設定の内容がユーザーに許可されたと判断して、Ｓ１６で設定された単色の色とＳ２９で設定された影及び当該影に使用される色とＳ３４で設定された輪郭及び当該輪郭に使用される色とを印刷処理に用いることを指示する第２コマンドを印刷条件の一部として含め、処理は後述のＳ５０に進む。
【００９９】
また、プリンタードライバー部１３は、上記Ｓ２４でグラデーションの色が設定された後、上記Ｓ２６において、影のチェック欄２２Ｅ３が指定され、上記Ｓ３０において、輪郭のチェック欄２２Ｅ４が指定され、タッチパネル２２が受け付けたことを検出した場合には（Ｓ３０でＹＥＳ）、エフェクトとして、影を付けることに加えて、輪郭を付けることが要求されたと判断する。そして、プリンタードライバー部１３は、当該輪郭に使用される色の選択を促す表示を表示部２１に行わせる（Ｓ３２）。例えば、プリンタードライバー部１３は、ユーザーの操作に従って、図１２に示した単色の色を指定する表示画面又は図２１に示したグラデーションの色を指定する表示画面を表示部２１に表示させる。
【０１００】
そして、プリンタードライバー部１３は、例えば、図１２の表示画面において、ユーザーによりエフェクトの色キー２２Ｈが指定され、タッチパネル２２により受け付けられたこと、更に５段階のいずれかの濃淡でいずれかの一つの単色の色のボタン、例えば、最も濃い（図１２での最も下の）ボタン２２Ｉ５が指定され、タッチパネル２２により受け付けられたことを検出した場合には、当該ボタン２２Ｉ５に対応付けられた単色の色（例えば、オレンジ色）が輪郭に使用される色に指定されたと判断する。そして、プリンタードライバー部１３は、この輪郭に使用される色に指定された単色の色と、上記Ｓ６で設定された記録紙の色との組合せがＯＫかどうかを判定する（Ｓ３３）。例えば、プリンタードライバー部１３は、上記禁則テーブルＴ１（図１３）を参照して、輪郭に使用される色に指定された単色の色と設定された記録紙の色との組合せが禁則テーブルＴ１で禁止されているかを判別することにより、当該組合せがＯＫかどうかを判定する。そして、プリンタードライバー部１３は、禁則テーブルＴ１で禁止されていることを判別したときは（Ｓ３３でＮＯ）、これらの組合せを拒否する旨の表示を表示部２１に行わせる（Ｓ３１）。
【０１０１】
一方、プリンタードライバー部１３は、禁則テーブルＴ１で禁止されていないことを判別したときは（Ｓ３３でＹＥＳ）、輪郭に使用される色に指定された単色の色（最も濃いボタン２２Ｉ５に対応付けられた単色の色）を、印刷文字に付与される輪郭に使用される文字の色として設定する（Ｓ３４）。そして、プリンタードライバー部１３は、上記Ｓ６で設定された記録紙の色と上記Ｓ２４で設定された印刷文字での文字の色と上記Ｓ２９で設定された影に使用される色と上記Ｓ３４で設定された輪郭に使用される色とを用いたプレビュー表示を表示部２１に行わせる（Ｓ１８）。例えば、プリンタードライバー部１３は、図１７（Ｂ）に示すように、上記プレビュー表示として、Ｓ６で設定された色ＰＣ１で表示した記録紙の画像Ｐ上において、上記Ｓ１１で設定された「Ｃ」、「Ｅ」、及び「Ｅ」の指定文字の各画像Ｓについて、Ｓ２９で設定された影に使用される色ＳＥ１及びＳ３４で設定された輪郭に使用される色ＳＥ２を使用したエフェクトとしての影及び輪郭の画像を付与するとともに、Ｓ２４で設定された文字の色ＳＣ２で各画像Ｓを表示部２１に表示させる。
【０１０２】
そして、プリンタードライバー部１３は、ユーザーにより、プレビュー表示した設定の内容が許可されたか否かを判別する（Ｓ１９）。例えば、プリンタードライバー部１３は、図１７（Ｂ）の表示画面において、ユーザーにより戻るキー２２Ｊ２が指定され、タッチパネル２２により受け付けられたことを検出した場合は（Ｓ１９でＮＯ）、プレビュー表示した設定の内容がユーザーに許可されなかったと判断して、処理は上記Ｓ５に戻って処理をやり直す。一方、プリンタードライバー部１３は、図１７（Ｂ）の表示画面において、ユーザーによりＯＫキー２２Ｊ１が指定され、タッチパネル２２により受け付けられたことを検出した場合は（Ｓ１９でＹＥＳ）、プレビュー表示した設定の内容がユーザーに許可されたと判断して、Ｓ２４で設定されたグラデーションの色とＳ２９で設定された影及び当該影に使用される色とＳ３４で設定された輪郭及び当該輪郭に使用される色とを印刷処理に用いることを指示する第２コマンドを印刷条件の一部として含め、処理は後述のＳ５０に進む。
【０１０３】
また、プリンタードライバー部１３は、上記Ｓ１２を処理したときに印刷文字において、エフェクトを付与する要求が行われたと判断した場合には、図６に示すように、当該印刷文字において、エフェクト及び当該エフェクトに使用される色の指定が要求されたかどうかを判別する（Ｓ３５）。例えば、プリンタードライバー部１３は、図１１に示した表示画面において、影のチェック欄２２Ｅ３又は輪郭のチェック欄２２Ｅ４の少なくとも一方がユーザーに指定され、更に実行キー２２Ｆがユーザーに指定されたかどうかを検出することにより、印刷文字に対してエフェクトとして影を付けることの要求又は輪郭を付けることの要求の少なくとも一方が行われたかどうかを判別する。プリンタードライバー部１３は、影のチェック欄２２Ｅ３又は輪郭のチェック欄２２Ｅ４の少なくとも一方が指定されたことをタッチパネル２２が検出していなければ（Ｓ３５でＮＯ）、上記Ｓ１２で図１１の表示画面を表示部２１に表示させた時点から予め定められた所定時間が経過したかどうかを判別する（Ｓ３６）。プリンタードライバー部１３は、予め定められた所定時間が経過していないことを判別したときは（Ｓ３６でＮＯ）、情報処理装置１を待機状態とする。一方、プリンタードライバー部１３は、予め定められた所定時間が経過したことを判別すれば（Ｓ３６でＹＥＳ）、エフェクトの付加が中止されたと判断して、処理は、後述のＳ５０に進む。
【０１０４】
また、プリンタードライバー部１３は、影の指定が要求されたかどうかを判別する（Ｓ３７）。すなわち、プリンタードライバー部１３は、図１１の表示画面において、ユーザーにより影のチェック欄２２Ｅ３が指定され、タッチパネル２２により受け付けられたことを検出した場合には（Ｓ３７でＹＥＳ）、エフェクトとして影を付けることが要求されたと判断する。そして、プリンタードライバー部１３は、当該影に使用される色の選択を促す表示を表示部２１に行わせる（Ｓ３８）。例えば、プリンタードライバー部１３は、ユーザーの操作に従って、図１２に示した単色の色を指定する表示画面又は図２１に示したグラデーションの色を指定する表示画面を表示部２１に表示させる。
【０１０５】
そして、プリンタードライバー部１３は、例えば、図１２の表示画面において、ユーザーによりエフェクトの色キー２２Ｈが指定され、タッチパネル２２により受け付けられたこと、更に５段階のいずれかの濃淡でいずれかの一つの単色の色のボタン、例えば、最も濃い（図１２での最も下の）ボタン２２Ｉ４が指定され、タッチパネル２２により受け付けられたことを検出した場合には、当該ボタン２２Ｉ４に対応付けられた単色の色（例えば、赤色）が影に使用される色に指定されたと判断する。そして、プリンタードライバー部１３は、この影に使用される色に指定された単色の色と、上記Ｓ６で設定された記録紙の色との組合せがＯＫかどうかを判定する（Ｓ３９）。例えば、プリンタードライバー部１３は、上記禁則テーブルＴ１（図１３）を参照して、影に使用される色に指定された単色の色と設定された記録紙の色との組合せが禁則テーブルＴ１で禁止されているかを判別することにより、当該組合せがＯＫかどうかを判定する。そして、プリンタードライバー部１３は、禁則テーブルＴ１で禁止されていることを判別したときは（Ｓ３９でＮＯ）、これらの組合せを拒否する旨の表示を表示部２１に行わせる（Ｓ４２）。
【０１０６】
一方、プリンタードライバー部１３は、禁則テーブルＴ１で禁止されていないことを判別したときは（Ｓ３９でＹＥＳ）、影に使用される色に指定された単色の色（最も濃いボタン２２Ｉ４に対応付けられた単色の色）を、印刷文字に付与される影に使用される文字の色として設定する（Ｓ４０）。続いて、プリンタードライバー部１３は、輪郭の指定が要求されたかどうかを判別する（Ｓ４１）。すなわち、プリンタードライバー部１３は、図１１の表示画面において、ユーザーにより輪郭のチェック欄２２Ｅ４が指定され、タッチパネル２２により受け付けられたことを検出した場合には（Ｓ４１でＹＥＳ）、エフェクトとして輪郭を付けることが要求されたと判断して、処理は、後述のＳ４３に進む。
【０１０７】
一方、プリンタードライバー部１３は、図１１の表示画面において、ユーザーにより輪郭のチェック欄２２Ｅ４が指定されていなければ（Ｓ４１でＮＯ）、エフェクトとして輪郭を付けることが要求されていないと判断する。そして、プリンタードライバー部１３は、上記Ｓ６で設定された記録紙の色と上記Ｓ４０で設定された影に使用される色とを用いたプレビュー表示を表示部２１に行わせる（Ｓ１８）。例えば、プリンタードライバー部１３は、図１８（Ａ）に示すように、上記プレビュー表示として、Ｓ６で設定された色ＰＣ１で表示した記録紙の画像Ｐ上において、上記Ｓ１１で設定された「Ｃ」、「Ｅ」、及び「Ｅ」の指定文字の各画像Ｓについて、Ｓ４０で設定された影に使用される色ＳＥ１を使用したエフェクトとしての影の画像を付与するとともに、当該プリンタードライバー部１３に上記デフォルトとして予め設定されている、黒色の色ＳＣ０で各画像Ｓを表示部２１に表示させる。
【０１０８】
そして、プリンタードライバー部１３は、ユーザーにより、プレビュー表示した設定の内容が許可されたか否かを判別する（Ｓ１９）。例えば、プリンタードライバー部１３は、図１８（Ａ）の表示画面において、ユーザーにより戻るキー２２Ｊ２が指定され、タッチパネル２２により受け付けられたことを検出した場合は（Ｓ１９でＮＯ）、プレビュー表示した設定の内容がユーザーに許可されなかったと判断して、処理は上記Ｓ５に戻って処理をやり直す。一方、プリンタードライバー部１３は、図１８（Ａ）の表示画面において、ユーザーによりＯＫキー２２Ｊ１が指定され、タッチパネル２２により受け付けられたことを検出した場合は（Ｓ１９でＹＥＳ）、プレビュー表示した設定の内容がユーザーに許可されたと判断して、上記デフォルトで設定されている黒色の色とＳ２９で設定された影及び当該影に使用される色とを印刷処理に用いることを指示する第２コマンドを印刷条件の一部として含め、処理は後述のＳ５０に進む。
【０１０９】
また、プリンタードライバー部１３は、上記Ｓ３７において、影のチェック欄２２Ｅ３が指定されずに、輪郭のチェック欄２２Ｅ４が指定され、タッチパネル２２が受け付けたことを検出した場合には（Ｓ３７でＮＯ）、エフェクトとして輪郭を付けることが要求されたと判断する。そして、プリンタードライバー部１３は、当該輪郭に使用される色の選択を促す表示を表示部２１に行わせる（Ｓ４３）。例えば、プリンタードライバー部１３は、ユーザーの操作に従って、図１２に示した単色の色を指定する表示画面又は図２１に示したグラデーションの色を指定する表示画面を表示部２１に表示させる。
【０１１０】
そして、プリンタードライバー部１３は、例えば、図１２の表示画面において、ユーザーによりエフェクトの色キー２２Ｈが指定され、タッチパネル２２により受け付けられたこと、更に５段階のいずれかの濃淡でいずれかの一つの単色の色のボタン、例えば、最も濃い（図１２での最も下の）ボタン２２Ｉ５が指定され、タッチパネル２２により受け付けられたことを検出した場合には、当該ボタン２２Ｉ５に対応付けられた単色の色（例えば、オレンジ色）が輪郭に使用される色に指定されたと判断する。そして、プリンタードライバー部１３は、この輪郭に使用される色に指定された単色の色と、上記Ｓ６で設定された記録紙の色との組合せがＯＫかどうかを判定する（Ｓ４４）。例えば、プリンタードライバー部１３は、上記禁則テーブルＴ１（図１３）を参照して、この輪郭に使用される色に指定された単色の色と設定された記録紙の色との組合せが禁則テーブルＴ１で禁止されているかを判別することにより、当該組合せがＯＫかどうかを判定する。そして、プリンタードライバー部１３は、禁則テーブルＴ１で禁止されていることを判別したときは（Ｓ４４でＮＯ）、これらの組合せを拒否する旨の表示を表示部２１に行わせる（Ｓ４２）。
【０１１１】
一方、プリンタードライバー部１３は、禁則テーブルＴ１で禁止されていないことを判別したときは（Ｓ４４でＹＥＳ）、輪郭に使用される色に指定された単色の色（最も濃いボタン２２Ｉ５に対応付けられた単色の色）を、印刷文字に付与される輪郭に使用される文字の色として設定する（Ｓ４５）。そして、プリンタードライバー部１３は、上記Ｓ６で設定された記録紙の色と上記Ｓ４５で設定された輪郭に使用される色とを用いたプレビュー表示を表示部２１に行わせる（Ｓ１８）。例えば、プリンタードライバー部１３は、図１８（Ｂ）に示すように、上記プレビュー表示として、Ｓ６で設定された色ＰＣ１で表示した記録紙の画像Ｐ上において、上記Ｓ１１で設定された「Ｃ」、「Ｅ」、及び「Ｅ」の指定文字の各画像Ｓについて、Ｓ４４で設定された輪郭に使用される色ＳＥ２を使用したエフェクトとしての輪郭の画像を付与するとともに、当該プリンタードライバー部１３に上記デフォルトとして予め設定されている、黒色の色ＳＣ０で各画像Ｓを表示部２１に表示させる。
【０１１２】
そして、プリンタードライバー部１３は、ユーザーにより、プレビュー表示した設定の内容が許可されたか否かを判別する（Ｓ１９）。例えば、プリンタードライバー部１３は、図１８（Ｂ）の表示画面において、ユーザーにより戻るキー２２Ｊ２が指定され、タッチパネル２２により受け付けられたことを検出した場合は（Ｓ１９でＮＯ）、プレビュー表示した設定の内容がユーザーに許可されなかったと判断して、処理は上記Ｓ５に戻って処理をやり直す。一方、プリンタードライバー部１３は、図１８（Ｂ）の表示画面において、ユーザーによりＯＫキー２２Ｊ１が指定され、タッチパネル２２により受け付けられたことを検出した場合は（Ｓ１９でＹＥＳ）、プレビュー表示した設定の内容がユーザーに許可されたと判断して、上記デフォルトで設定されている黒色の色とＳ４５で設定された輪郭及び当該輪郭に使用される色とを印刷処理に用いることを指示する第２コマンドを印刷条件の一部として含め、処理は後述のＳ５０に進む。
【０１１３】
また、プリンタードライバー部１３は、上記Ｓ３７において、影のチェック欄２２Ｅ３が指定された後、上記Ｓ４１において、輪郭のチェック欄２２Ｅ４が指定され、タッチパネル２２が受け付けたことを検出した場合には（Ｓ４１でＹＥＳ）、エフェクトとして、影を付けることに加えて、輪郭を付けることが要求されたと判断する。そして、プリンタードライバー部１３は、当該輪郭に使用される色の選択を促す表示を表示部２１に行わせる（Ｓ４３）。例えば、プリンタードライバー部１３は、ユーザーの操作に従って、図１２に示した単色の色を指定する表示画面又は図２１に示したグラデーションの色を指定する表示画面を表示部２１に表示させる。
【０１１４】
そして、プリンタードライバー部１３は、例えば、図１２の表示画面において、ユーザーによりエフェクトの色キー２２Ｈが指定され、タッチパネル２２により受け付けられたこと、更に５段階のいずれかの濃淡でいずれかの一つの単色の色のボタン、例えば、最も濃い（図１２での最も下の）ボタン２２Ｉ５が指定され、タッチパネル２２により受け付けられたことを検出した場合には、当該ボタン２２Ｉ５に対応付けられた単色の色（例えば、オレンジ色）が輪郭に使用される色に指定されたと判断する。そして、プリンタードライバー部１３は、この輪郭に使用される色に指定された単色の色と、上記Ｓ６で設定された記録紙の色との組合せがＯＫかどうかを判定する（Ｓ４４）。例えば、プリンタードライバー部１３は、上記禁則テーブルＴ１（図１３）を参照して、輪郭に使用される色に指定された単色の色と設定された記録紙の色との組合せが禁則テーブルＴ１で禁止されているかを判別することにより、当該組合せがＯＫかどうかを判定する。そして、プリンタードライバー部１３は、禁則テーブルＴ１で禁止されていることを判別したときは（Ｓ４４でＮＯ）、これらの組合せを拒否する旨の表示を表示部２１に行わせる（Ｓ４２）。
【０１１５】
一方、プリンタードライバー部１３は、禁則テーブルＴ１で禁止されていないことを判別したときは（Ｓ４４でＹＥＳ）、輪郭に使用される色に指定された単色の色（最も濃いボタン２２Ｉ５に対応付けられた単色の色）を、印刷文字に付与される輪郭に使用される文字の色として設定する（Ｓ４５）。そして、プリンタードライバー部１３は、上記Ｓ６で設定された記録紙の色と上記Ｓ４０で設定された影に使用される色と上記Ｓ４５で設定された輪郭に使用される色とを用いたプレビュー表示を表示部２１に行わせる（Ｓ１８）。例えば、プリンタードライバー部１３は、図１９に示すように、上記プレビュー表示として、Ｓ６で設定された色ＰＣ１で表示した記録紙の画像Ｐ上において、上記Ｓ１１で設定された「Ｃ」、「Ｅ」、及び「Ｅ」の指定文字の各画像Ｓについて、Ｓ４０で設定された影に使用される色ＳＥ１及びＳ４５で設定された輪郭に使用される色ＳＥ２を使用したエフェクトとしての影及び輪郭の画像を付与するとともに、当該プリンタードライバー部１３に上記デフォルトとして予め設定されている、黒色の色ＳＣ０で各画像Ｓを表示部２１に表示させる。
【０１１６】
そして、プリンタードライバー部１３は、ユーザーにより、プレビュー表示した設定の内容が許可されたか否かを判別する（Ｓ１９）。例えば、プリンタードライバー部１３は、図１９の表示画面において、ユーザーにより戻るキー２２Ｊ２が指定され、タッチパネル２２により受け付けられたことを検出した場合は（Ｓ１９でＮＯ）、プレビュー表示した設定の内容がユーザーに許可されなかったと判断して、処理は上記Ｓ５に戻って処理をやり直す。一方、プリンタードライバー部１３は、図１９の表示画面において、ユーザーによりＯＫキー２２Ｊ１が指定され、タッチパネル２２により受け付けられたことを検出した場合は（Ｓ１９でＹＥＳ）、プレビュー表示した設定の内容がユーザーに許可されたと判断して、上記デフォルトで設定されている黒色の色とＳ４０で設定された影及び当該影に使用される色とＳ４５で設定された輪郭及び当該輪郭に使用される色とを印刷処理に用いることを指示する第２コマンドを印刷条件の一部として含め、処理は後述のＳ５０に進む。
【０１１７】
尚、上記の説明では、上記Ｓ１１で設定された「Ｃ」、「Ｅ」、及び「Ｅ」の全ての指定文字について、同一の文字色の適用及び/又は同一のエフェクトの付与を行う構成について説明したが、本実施形態は、これに限定されるものではなく、例えば設定された「Ｃ」、「Ｅ」、及び「Ｅ」の各指定文字について、上記Ｓ１２〜Ｓ１９の処理を行うことにより、これらの各指定文字について、互いに異なる文字色の適用及び/又は互いに異なるエフェクトの付与を行う構成でもよい。
【０１１８】
また、上記Ｓ９において、上記ドキュメントデータに含まれた全ての文字について印刷文字が変更されると設定された場合では、例えば図１０に示した印刷物Ｄに含まれる全ての文字について、同一の文字色の適用及び/又は同一のエフェクトの付与が行われる。
【０１１９】
また、プリンタードライバー部１３は、上記Ｓ１９において、プレビュー表示した設定の内容がユーザーに許可されたと判断した場合には、他の印刷条件を設定する（Ｓ５０）。例えば、プリンタードライバー部１３は、ユーザーにより、図７に示す表示画面において、両面印刷キー２２Ｂ３が指定され、タッチパネル２２により受け付けられたことを検出した場合は、両面印刷を行うか否かの指定を促す表示を表示部２１に行わせる（図示せず）。そして、プリンタードライバー部１３は、例えば、ユーザーにより、両面印刷を行うこと（オン）が指定され、タッチパネル２２により受け付けられたことを検出した場合は、印刷条件として、両面印刷を行うことを設定する。一方、プリンタードライバー部１３は、ユーザーにより、両面印刷を行わないこと（オフ）が指定され、タッチパネル２２により受け付けられたことを検出した場合は、印刷条件として、両面印刷を行わないこと、つまり片面印刷を行うことを設定する。そして、プリンタードライバー部１３は、図７に示すように、両面印刷キー２２Ｂ３の表示箇所に指定された「オフ」を表示させる。なお、プリンタードライバー部１３が、両面印刷を行うことを設定した場合には、両面印刷キー２２Ｂ３の表示箇所に指定された「オン」を表示させる（図示せず）。
【０１２０】
また、例えば、プリンタードライバー部１３は、ユーザーにより、図７に示す表示画面において、頁集約キー２２Ｂ４が指定され、タッチパネル２２により受け付けられたことを検出した場合は、頁集約を行うか否かの指定を促す表示を表示部２１に行わせる（図示せず）。そして、プリンタードライバー部１３は、例えば、ユーザーにより、頁集約を行うこと（オン）が指定され、タッチパネル２２により受け付けられたことを検出した場合は、「２in１」や「４in１」等の具体的な頁集約の指定を促す表示を表示部４１に行わせる（図示せず）。そして、プリンタードライバー部１３は、ユーザーにより、例えば「２in１」の頁集約が指定され、タッチパネル２２により受け付けられたことを検出した場合は、印刷条件として、「２in１」の頁集約を設定する。そして、プリンタードライバー部１３は、頁集約キー２２Ｂ４の箇所に設定された「２in１」を表示させる（図示せず）。一方、プリンタードライバー部１３は、ユーザーにより、頁集約を行わないこと（オフ）が指定され、タッチパネル２２により受け付けられたことを検出した場合は、印刷条件として、頁集約を行わないことを設定する。そして、プリンタードライバー部１３は、図７に示すように、頁集約キー２２Ｂ４の表示箇所に指定された「オフ」を表示させる。
【０１２１】
また、例えば、プリンタードライバー部１３は、ユーザーにより、図７に示す表示画面において、印刷部数キー２２Ｂ５が指定され、タッチパネル２２により受け付けられたことを検出した場合は、印刷部数の指定を促す表示を表示部２１に行わせる（図示せず）。例えば、プリンタードライバー部１３は、印刷部数の数字を入力させるために、テンキーを表示部２１に表示させる（図示せず）。そして、プリンタードライバー部１３は、ユーザーにより、例えば「１」が指定され、タッチパネル２２により受け付けられたことを検出した場合は、印刷部数として１部が指定されたと判断し、印刷条件として、１部の印刷部数を設定する。また、プリンタードライバー部１３は、図７に示すように、印刷部数キーの表示箇所に指定された印刷部数「１部」を表示させる。
【０１２２】
そして、プリンタードライバー部１３は、印刷ジョブの作成の指示を上記操作受付部が受け付けたかどうかを判別する（Ｓ５１）。例えば、プリンタードライバー部１３は、図７に示した表示画面において、設定キー２２Ｃがユーザーに指定されたかどうかを検出することにより、印刷ジョブの作成の指示が行われたかどうかを判別する。プリンタードライバー部１３は、設定キー２２Ｃが指定されたことをタッチパネル２２が検出していなければ（Ｓ５１でＮＯ）、Ｓ５２には進まずに、情報処理装置１を待機状態とする。
【０１２３】
一方、プリンタードライバー部１３は、ユーザーにより設定キー２２Ｃが指定され、タッチパネル２２により受け付けられたことを検出した場合は（Ｓ５１でＹＥＳ）、上記Ｓ３で設定されたドキュメントデータ（例えば、ファイル名「文書１.doc」のドキュメントデータ）を、画像形成装置２に適したプリンター言語からなるデータに変換し、変換したプリンター言語からなるデータを用いて、上記Ｓ１９及びＳ５０で設定された印刷条件（例えば、「記録紙の色；紫色」、「印刷文字変更；肌色、エフェクトなし」、「両面印刷；オフ」、「頁集約；オフ」、「印刷部数；１部」）に従って作成した印刷対象データを含んだ印刷ジョブを作成する（Ｓ５２）。また、このようにプリンタードライバー部１３が印刷ジョブを作成した場合、当該プリンタードライバー部１３は、作成した印刷ジョブをＨＤＤ２４に記憶させる。
【０１２４】
そして、制御部１１は、印刷ジョブの送信の指示を上記操作受付部が受け付けたかどうかを判別する（Ｓ５３）。例えば、制御部１１は、図７に示した表示画面において、送信キー２２Ｄがユーザーに指定されたかどうかを検出することにより、印刷ジョブの送信の指示が行われたかどうかを判別する。制御部１１は、送信キー２２Ｄが指定されたことをタッチパネル２２が検出していなければ（Ｓ５３でＮＯ）、Ｓ５４には進まずに、情報処理装置１を待機状態とする。
【０１２５】
一方、制御部１１は、ユーザーにより送信キー２２Ｄが指定され、タッチパネル２２により受け付けられたことを検出した場合は（Ｓ５３でＹＥＳ）、印刷ジョブの送信の指示が要求されたと判断する。そして、通信制御部１２は、上記Ｓ５２で作成された印刷ジョブを、通信部２３からネットワークＮを通じて画像形成装置２に向けて送信させる（Ｓ５４）。
【０１２６】
次に、図２２を参照して本実施形態の画像形成装置２の動作について具体的に説明する。図２２は、画像形成装置での処理の流れを示すフローチャートである。なお、以下の説明では、情報処理装置１から印刷ジョブが送信されてきた場合での動作について主に説明する。
【０１２７】
制御部３１は、送受信部５３が情報処理装置１からの印刷ジョブを受信したかどうかを判別する（Ｓ７１）。制御部３１は、情報処理装置１からの印刷ジョブを受信していないことを判別すれば（Ｓ７１でＮＯ）、Ｓ７２には進めずに、画像形成装置２を待機状態とする。
【０１２８】
一方、制御部３１は、送受信部５３が情報処理装置１からの印刷ジョブを受信したことを判別すれば、受信した印刷ジョブに基づく印刷処理を印刷部４２に行わせる（Ｓ７２）。これにより、情報処理装置１から送信されてきた印刷ジョブが、画像形成装置２で印刷処理されて、印刷物としてユーザーに提供される。
【０１２９】
以上のように本実施形態では、情報処理装置１において、プリンタードライバー部１３は、上記操作受付部が記録紙の色の指定を受け付けた場合に、指定された記録紙の色を示す色情報に対応付けられた画像形成装置２の給紙カセット９ａ〜９ｄの位置情報をＨＤＤ２４から取得して、取得した給紙カセット９ａ〜９ｄの位置情報により示される当該給紙カセット９ａ〜９ｄに収容されている記録紙を印刷処理に用いることを指示する第１コマンドを印刷条件の一部として含める。また、プリンタードライバー部１３は、上記操作受付部が文字の色の指定と、エフェクト及び当該エフェクトに使用される色の指定との少なくとも一方を受け付けた場合に、指定された文字の色と指定されたエフェクト及び当該エフェクトに使用される色とを印刷処理に用いることを指示する第２コマンドを印刷条件の一部として含める。これにより、本実施形態では、上記従来例と異なり、情報処理装置１側の操作により、画像形成装置２において、ユーザーが所望する色の記録紙に対してユーザーが所望の色やエフェクトで文字の印刷処理を可能にすることができる。
【０１３０】
また、本実施形態の情報処理装置１では、記録紙の色の指定が受け付けられ、更に文字の色の指定とエフェクト及び当該エフェクトに使用される色の指定との少なくとも一方が受け付けられた場合に、プレビュー表示を表示部２１に行わせているので、ユーザーは画像形成装置２で実際に印刷処理する前に当該印刷処理での印刷物の記録紙の色や印刷文字の色等を視認することができ、当該ユーザーは所望の印刷物を容易に得ることができる。
【０１３１】
尚、上記実施形態の説明では、プリンタードライバー部１３は、上記操作受付部が記録紙の色の指定を受け付けた場合に、当該記録紙に対し印刷処理されるドキュメントデータに含まれた文字の色の指定と、当該ドキュメントデータに含まれた文字に対する予め定められたエフェクト及び当該エフェクトに使用される色の指定とを促す表示を表示部２１に行わせる構成について説明した。しかしながら、本実施形態はこれに限定されるものではなく、プリンタードライバー部１３は、上記操作受付部が記録紙の色の指定を受け付けた場合に、当該記録紙に対し印刷処理されるドキュメントデータに含まれた文字の色の指定と、当該ドキュメントデータに含まれた文字に対する予め定められたエフェクト及び当該エフェクトに使用される色の指定との少なくとも一方を促す表示を表示部２１に行わせる構成であればよい。
【０１３２】
次に、図２３を参照して、第２実施形態に係る情報処理装置１について具体的に説明する。図２３は、第２実施形態に係る情報処理装置の要部構成を示す機能ブロック図である。尚、上記実施形態と同様の構成については説明を省略する。
【０１３３】
図２３に示すように、本実施形態の情報処理装置１のＨＤＤ２４には、指定された文字の色と、当該指定された文字の色に対応付けられたエフェクト及び当該エフェクトに使用される色との組合せの関係を示した適用テーブルＴ２が予め記憶されている。
【０１３４】
例えば、適用テーブルＴ２には、図２４に示すように、カラーＡの文字の色と、当該カラーＡの文字の色に対応付けられた影及び当該影に使用される色としてのカラーＢ２との組合せの関係が記載されている。
【０１３５】
また、本実施形態の情報処理装置１では、プリンタードライバー部１３は、上記操作受付部が記録紙の色の指定を受け付けた場合に、エフェクト及び当該エフェクトに使用される色の指定を促す表示を表示部２１に行わせずに、文字の色の指定を促す表示のみを表示部２１に行わせる。
【０１３６】
また、本実施形態の情報処理装置１では、プリンタードライバー部１３は、上記操作受付部が文字の色の指定を受け付けた場合に、適用テーブルＴ２を参照して、指定された文字の色に対応付けられたエフェクト及び当該エフェクトに使用される色を取得して、指定された文字の色と取得したエフェクト及び当該エフェクトに使用される色を指定された文字に適用することとを指示するコマンドを第２コマンドとして印刷条件の一部として含める。
【０１３７】
次に、図２５を参照して、第２実施形態に係る情報処理装置１での処理動作について具体的に説明する。図２５は、第２実施形態に係る情報処理装置での処理の流れを示すフローチャートである。
【０１３８】
プリンタードライバー部１３は、上記Ｓ１２において、印刷文字を変更する文字について、文字の色の指定が要求されたかどうかを判別する際に、エフェクト及び当該エフェクトに使用される色の指定を促す表示を表示部２１に行わせずに、文字の色の指定を促す表示のみを表示部２１に行わせる。例えば、プリンタードライバー部１３は、図２６に示すように、上記印刷文字の色として予め定められた単色をユーザーが指定可能とするために、ユーザーに操作されたことを示すための画像を表示するチェック欄２２Ｅ１と、上記印刷文字の色として予め定められたグラデーションの色をユーザーが指定可能とするために、ユーザーに操作されたことを示すための画像を表示するチェック欄２２Ｅ２とを表示部２１に表示させる。
【０１３９】
また、プリンタードライバー部１３は、上記Ｓ１６において、印刷文字に用いられる文字の色として単色の色が設定された場合、又は上記Ｓ２４において、印刷文字に用いられる文字の色としてグラデーションの色が設定された場合に、適用テーブルＴ２を参照して、設定された単色の色又はグラデーションの色に基づき、エフェクト及び当該エフェクトに使用される色を設定する（Ｓ６０）。例えば、プリンタードライバー部１３は、Ｓ２４において、最も薄い（図２１での最も上の）ボタン２２Ｌ７が上記印刷文字に用いられる文字の色として設定された場合に、適用テーブルＴ２から、当該最も薄いボタン２２Ｌ７で示されるカラーに対応付けられたエフェクト（例えば、輪郭を付けること）及び当該エフェクトに使用される色（例えば、カラーＡ１）を取得する。そして、プリンタードライバー部１３は、取得した輪郭及びその輪郭に使用されるカラーＡ１の色を、上記印刷文字に対するエフェクト及び当該エフェクトに使用される色として設定する。そして、表示部２１では、例えば図１６（Ｂ）に示したプレビュー表示が行われて、このプレビュー表示により、ユーザーに対して、当該ユーザーが指定した記録紙の色と、ユーザーが指定した印刷文字の色と、適用テーブルＴ２を用いて指定されたエフェクト及び当該エフェクトに使用される色との組合せが視覚的に供される。
【０１４０】
以上のように本実施形態では、情報処理装置１において、記録紙の色と印刷文字に用いられる文字の色が指定された場合に、プリンタードライバー部１３が適用テーブルＴ１を参照して、指定された文字の色に応じて、エフェクト及び当該エフェクトに使用される色が設定される。このため、本実施形態では、ユーザーが所望する色の記録紙に対してユーザーが所望の色及び所望のエフェクトに変更して文字の印刷処理を簡便に行うことができる。
【０１４１】
なお、上記実施形態において、図１乃至図２６を用いて上記実施形態により示した構成及び処理は、本発明の一実施形態に過ぎず、本発明を当該構成及び処理に限定する趣旨ではない。
【符号の説明】
【０１４２】
１          情報処理装置
１２        通信制御部
１３        プリンタードライバー部
２０        操作部（操作受付部）
２１        表示部
２２        タッチパネル（操作受付部）
２３        通信部
２４        ＨＤＤ（記憶部）
２          画像形成装置
９ａ〜９ｄ  給紙カセット
３１        制御部
４２        印刷部
５３        送受信部（受信部）
【図１】
2018156524.tif 000003
【図２】
2018156524.tif 000004
【図３】
2018156524.tif 000005
【図４】
2018156524.tif 000006
【図５】
2018156524.tif 000007
【図６】
2018156524.tif 000008
【図７】
2018156524.tif 000009
【図８】
2018156524.tif 000010
【図９】
2018156524.tif 000011
【図１０】
2018156524.tif 000012
【図１１】
2018156524.tif 000013
【図１２】
2018156524.tif 000014
【図１３】
2018156524.tif 000015
【図１４】
2018156524.tif 000016
【図１５】
2018156524.tif 000017
【図１６】
2018156524.tif 000018
【図１７】
2018156524.tif 000019
【図１８】
2018156524.tif 000020
【図１９】
2018156524.tif 000021
【図２０】
2018156524.tif 000022
【図２１】
2018156524.tif 000023
【図２２】
2018156524.tif 000024
【図２３】
2018156524.tif 000025
【図２４】
2018156524.tif 000026
【図２５】
2018156524.tif 000027
【図２６】
2018156524.tif 000028